(57)【要約】【課題】本発明は、既所有贈答品を含めて自分の趣向を相手に伝え相手の趣向や個人情報が分からずサイバースペースなどコミュニティの相手を含めた相手への贈答を可能ならしめる贈答品発注処理システムを提供する。【解決手段】送信者端末１０及び受信者端末２０と通信ネットワークを介して通信接続された主管理装置１００を含む。主管理装置は、ユーザ管理情報記憶手段１８２、電子メールアドレス情報又は受信者識別情報と贈答品リストに関する情報などを受信し送信用贈答品リスト情報を生成し贈答品リスト提供用通知メールを生成する送信情報受付処理手段１１０、選択済みの既選択贈答品リスト情報と受信者の個人情報とを受信する受信確定処理手段１３０、配送指示を配送機構に通知する送信者商品発送処理手段１４０を含む。【選択図】図１
2010160766.tif 000002
【特許請求の範囲】
【請求項１】
ネットワークを介して贈答品情報を発信する送信者端末と、この贈答品情報を受信すると共に当該贈答品情報に付記された受信者端末に前記贈答品情報を送信する主管理装置とを備え、この主管理装置が、前記受信者端末からの返信情報により特定される贈答品をべつに設置された配送機構を介して前記受信者端末側の受信者に向けて発送処理する贈答品発送依頼処理機能を備えて成る贈答品発注処理システムにおいて、
前記送信者端末は、送信側オペレータから贈答品情報と受信端末識別情報とが入力された場合に当該各情報を送信者発信情報として前記主管理装置に向けて送信し又は当該主管理装置からの情報を受信処理する送信情報入出力手段を備え、
前記主管理装置は、前記送信者端末から送られてくる前記送信者発信情報を記憶するユーザ管理情報記憶手段と、この受信した前記送信者発信情報から前記受信者端末のメールアドレスを特定すると共に当該受信者端末に前記贈答品情報および贈答品受取り伺い情報を送信し且つ前記送信者発信情報から特定される贈答品をショッピングサイトに対して仮予約する送信受付処理手段と、前記受信者端末から送られてくる前記贈答品受取り伺い情報に対する返信情報に基づいて前記ショッピングサイトへの注文の確定処理若しくは注文の中止手続き処理を行う受信確定処理手段とを備えていることを特徴とした贈答品発注処理システム。
【請求項２】
前記請求項１に記載の贈答品発注処理システムにおいて、
前記送信情報入出力手段には、前記主管理装置との情報通信の内容をその都度外部表示する外部表示手段が装備され、
前記ユーザ管理情報記憶手段は、コミュニティやセカンドライフなどのサイバースペースを利用する際の登録内容および前記受信者端末と送信者端末との相互間の交信内容を蓄積記録する構成としたことを特徴とする贈答品発注処理システム。
【請求項３】
前記請求項１に記載の贈答品発注処理システムにおいて、
前記主管理装置は、
前記送信者端末から送られてくる前記受信端末識別情報がメールアドレスである場合にはこれを贈答品の送信先情報として前記ユーザ管理情報記憶手段に記憶すると共に、前記送信者端末から送られてくる前記受信端末識別情報がＩＤ情報である場合には当該ＩＤ情報にかかるメールアドレスを前記ユーザ管理情報記憶手段を検索し特定する送信先特定機能を備えていることを特徴とした贈答品発注処理システム。
【請求項４】
前記請求項３に記載の贈答品発注処理システムにおいて、
前記主管理装置は、
前記送信者端末から送られてくる前記贈答品情報が複数の贈答品が記載された贈答品リストである場合には、前記商品受取り伺い情報の記載内容に、前記受信者側への贈答品選択伺いの案内を含めることを特徴とした贈答品発注処理システム。
【請求項５】
前記請求項４に記載の贈答品発注処理システムにおいて、
前記送信者端末から出力される前記贈答品情報には、送信者自身が保持する贈答品としての商品が含まれていることを特徴とした贈答品発注処理システム。
【請求項６】
前記請求項５に記載の贈答品発注処理システムにおいて、
前記受信者端末から送られてくる前記受取り伺い情報に対する回答には、当該受信者端末から送られてくる個人情報として配送先の住所および氏名が含まれていることを特徴とした贈答品発注処理システム。
【請求項７】
前記請求項６に記載の贈答品発注処理システムにおいて、
前記主管理装置は、
前記受信者端末から送られてくる前記贈答品情報にかかる返信情報にあって、送信者端末側の送信者が保持してる贈答品を指定している場合には、前記送信者端末に対して贈答品準備通知を発信すると共に、前記主管理装置における各処理手段の実行を停止制御し且前記配送機構に対して前記送信者端末が保持している贈答品の配送を指令する贈答品配送指令手段を備えていることを特徴とした贈答品発注処理システム。
【請求項８】
前記請求項６に記載の贈答品発注処理システムにおいて、
前記主管理装置は、贈答品配送先の住所が確定した場合に機能するサイト再選択手段を有すると共に、
このサイト再選択手段が、前記配送先の住所の近隣にあって前記贈答品を扱っている複数のショッピングサイトをネット回線を利用して特定すると共に、前記複数のショッピングサイトの内、少なくとも商品価格と送料と配送時間とを検討し、これに基づいて最適な一のショッピングサイトを優先的に特定するショッピングサイト再選択機能を備えていることを特徴とした贈答品発注処理システム。
【請求項９】
前記請求項８に記載の贈答品発注処理システムにおいて、
前記送信受付処理手段における仮予約に際しては、予約が確定した際の決算方法や贈答品に添付するメッセージ等を当該仮予約の内容の一部として設定することを特徴とした贈答品発注処理システム。  
【請求項１０】
送信者端末から発信される贈答品情報をネットワークを介して主管理装置が受信し、この受信された贈答品情報に基づいて特定される受信者端末に対して前記主管理装置は当該贈答品情報を送信すると共に、これに対する前記受信者端末からの返信情報によって特定される贈答品を、前記主管理装置はショッピングサイトと連携し且つ配送機構を介して前記受信者端末側の受信者に向けて発送処理する贈答品発注処理方法において、
送信側オペレータから贈答品情報と受信端末識別情報とが前記送信者端末に入力された場合に当該送信者端末では送信情報入出力手段が作動して当該各情報を送信者発信情報として前記主管理装置に向けて送信し、
前記送信者端末から送られてくる前記送信者発信情報を前記主管理装置が予め装備したユーザ管理情報記憶手段にて記憶し、前記主管理装置の送信受付処理手段が機能して、前記受信した送信者発信情報から前記受信者端末のメールアドレスを特定すると共に当該受信者端末に対して前記贈答品情報および贈答品受取り伺い情報を送信し、
送信受付処理手段は、前記送信者発信情報から特定される贈答品をショッピングサイトに対して仮予約する手続きを実行し、
その後、前記主管理装置の受信確定処理手段が機能して、前記受信者端末から送られてくる前記贈答品受取り伺い情報に対する回答に基づいて前記ショッピングサイトへの注文の確定処理若しくは注文の中止手続き処理を行うことを特徴とした贈答品発注処理方法。
【請求項１１】
前記請求項１０に記載の贈答品発注処理方法において、
前記送信者端末から送られてくる前記受信端末識別情報がメールアドレスである場合、前記主管理装置はこれを贈答品の送信先情報として前記ユーザ管理情報記憶手段に記憶し、
前記送信者端末から送られてくる前記受信端末識別情報がＩＤ情報である場合、前記主管理装置は当該ＩＤ情報にかかるメールアドレスを前記ユーザ管理情報記憶手段の記憶内容を検索して特定することを特徴とする贈答品発注処理方法。
【請求項１２】
前記請求項１０に記載の贈答品発注処理方法において、
前記受信者端末から送られてくる前記返信情報にあって、送信者端末側の送信者が保持してる贈答品を指定している場合には、前記主管理装置は、前記送信者端末に対して贈答品準備通知を発信すると共に、当該主管理装置における前記各処理手段の実行を停止制御し且つ前記配送機構に対して前記送信者端末が保持している贈答品の配送を指令することを特徴とした贈答品発注処理方法。
【請求項１３】
前記請求項１０に記載の贈答品発注処理方法において、
前記贈答品の配送先の住所が確定した場合、前記主管理装置のサイト再選択手段が機能し、前記配送先の住所の近隣にあって前記贈答品を扱っている複数のショッピングサイトをネット回線を利用して特定し、この複数のショッピングサイトの内、少なくとも商品価格と送料と配送時間とを検討して最適な一のショッピングサイトを優先的に特定し、
次にこのサイト再選択手段により特定された一のショッピングサイトに対して前記受信確定処理手段が機能して仮予約を含む所定の対応処理を実行するようにしたことを特徴とする贈答品発注処理方法。
【請求項１４】
ネットワークを介して贈答品情報を発信する送信者端末と、この贈答品情報を受信すると共に受信者端末を特定して当該受信者端末に前記贈答品情報を送信する主管理装置とを備え、この主管理装置が、前記受信者端末からの返信情報により特定される贈答品を配送機構を介して前記受信者端末側の受信者に向けて発送処理する贈答品発送依頼処理機能を備えて成る贈答品発注処理システムにあって、
前記送信者端末から送られてくる前記送信者発信情報をユーザ管理情報記憶手段に記憶処理するユーザ管理情報記憶処理機能、
この受信した前記送信者発信情報から前記受信者端末のメールアドレスを特定すると共に当該受信者端末に前記贈答品情報および贈答品受取り伺い情報を送信し且つ前記送信者発信情報から特定される贈答品をショッピングサイトに対して仮予約する送信情報受付処理機能、
および前記受信者端末から送られてくる前記贈答品受取り伺い情報に対する返信情報に基づいて前記ショッピングサイトへの注文の確定処理若しくは注文の中止手続き処理を行う実行する受信確定処理機能、
を、前記主管理装置が備えているコンピュータに実行させることを特徴とした贈答品発注処理プログラム。
【請求項１５】
前記請求項１４に記載の贈答品発注処理プログラムにおいて、
前記送信者端末から送られてくる前記受信端末識別情報がメールアドレスである場合にはこれを贈答品の送信先情報として前記ユーザ管理情報記憶手段に対して記憶処理すると共に、前記送信者端末から送られてくる前記受信端末識別情報がＩＤ情報である場合には当該ＩＤ情報にかかるメールアドレスを前記ユーザ管理情報記憶手段を検索し特定する送信先特定機能を、
前記コンピュータに実行させることを特徴とした贈答品発注処理プログラム。
【請求項１６】
前記請求項１４に記載の贈答品発注処理プログラムにおいて、
前記受信者端末から送られてくる前記返信情報にあって、前記受信者が前記送信者端末側の送信者が保持してる贈答品を指定している場合には、前記送信者端末に対して贈答品準備通知を発信処理すると共に、前記主管理装置における前記各処理手段の実行を停止制御し且つ前記配送機構に対しては前記送信者端末が保持している贈答品の配送を指令する贈答品配送指令機能を、
前記コンピュータに実行させることを特徴とした贈答品発注処理プログラム。
【請求項１７】
前記請求項１４に記載の贈答品発注処理プログラムにおいて、
前記受信者端末から送られてくる前記返信情報にあって、前記贈答品の配送先の住所が確定した場合には前記主管理装置が備えているサイト再選択手段が稼働し、前記配送先の住所の近隣にあって前記贈答品を扱っている複数のショッピングサイトをネット回線を利用して特定すると共にこの複数のショッピングサイトの内の少なくとも商品価格と送料と配送時間とを検討して最適な一のショッピングサイトを優先的に特定するショッピングサイト優先的特定機能、
および前記サイト再選択手段により特定された一のショッピングサイトに対して前記受信確定処理機能が機能して仮予約を含む所定の対応処理を実行する対応処理実行機能、
を、前記コンピュータに実行させることを特徴とした贈答品発注処理プログラム。
【発明の詳細な説明】
【技術分野】
【０００１】
本発明は、贈答品発注処理システム、贈答品発注処理方法、及び贈答品発注処理プログラムに関し、特に送信者作成選択肢受信者選択型贈答を支援する贈答品発注処理システム、贈答品発注処理方法、及び贈答品発注処理プログラムに関する。
【背景技術】
【０００２】
インターネットなどを利用した贈答品発注処理システムの関連技術として、例えば特許文献１などが挙げられる。
【０００３】
特許文献１では、ユーザー端末からプレゼント用商品とプレゼントの相手先のメールアドレスなどを含むプレゼント予約情報を受信したとき、所定の予約処理を行い、前記相手先の端末に向けて、ユーザーからのプレゼントを受け取るかどうか、及び、プレゼントを受け取る場合のプレゼント商品の配送先となる氏名・住所を問合せ、前記相手先端末からプレゼントの配送先となる氏名・住所の情報を受信したとき、前記予約された商品の購入代金の支払い要求の情報をユーザー端末に送信し、ユーザー端末からの代金支払い情報を受信したとき、前記予約されたプレゼント商品を前記相手先に配送するための指示情報を出力する、ものである。
【０００４】
特許文献１によれば、ユーザーは、住所・氏名を知らない相手先に対してもインターネットを利用してプレゼントすることができるようになる。すなわち、ユーザーは、相手先の氏名・住所が分からない場合でも、相手先の電子メールアドレスと相手先に贈りたいプレゼント商品を選択し、代金支払い情報を送信するだけで、相手先にプレゼント商品を贈ることができる。よって、インターネット上で知り合い、お互いに氏名・住所を知らない者同士でも、プレゼントのやり取りを通じて相互の交流をより深めることができるようになる。  
【先行技術文献】
【特許文献】
【０００５】
【特許文献１】特開２００６−３９８２６号公報
【発明の概要】
【発明が解決しようとする課題】
【０００６】
このような関連技術において、付き合って日数が経っていない相手に贈答品などのプレゼントをあげようと思うと、相手の趣向がよくわからないため、贈答品が気に入ってもらえるかわからない、という課題があった。
又、相手の既所有物がわからないため、重複して贈ってしまう可能性がある、という課題があった。
更に、上記をさけるため、カタログで送付すると、自分の趣向が相手に伝えられない、という課題があった。
又更に、相手側のこちらに対する思いがわからないため、物品価値を決めかねる、という課題があった。
更に、ショッピングサイトなどで贈答品を商品として購入することを前提とするシステムが多いため、贈答品を送る本人が既に既所有物、既購入品として１以上の贈答品を保有している場合に、当該既所有物、既購入品を含めて贈答品を相手に送る際には前記のような各種の課題、困難性が伴うという課題があった。
【０００７】
更に又、個人情報にあたる住所は交換しない文化になりつつあり、例えば特許文献１以外の関連技術などでは、送付先住所が必ずしも分かるわけではなく配送できない、という課題があった。
この際、関連技術では、相手の住所などの個人情報が予め登録済みであることを前提としたシステムが多いため、相手側にとってみると購入することを希望しないにもかかわらず個人情報を登録してしまうという課題があった。
更に、特許文献１では、コミュニティなどのサイバースペース内における相手には、電子メールアドレスすらわからない場合が多く、サイバースペース内における相手には前記の課題を解決しつつ、前記贈答品を送ることができない、という課題があった。
【０００８】
本発明の目的は、上述の関連技術の課題を解決することにあり、本人が既に所有しているものを含めて自分の趣向を相手に伝えつつ相手の趣向や送付先住所などの個人情報が分からなくても、サイバースペースなどのコミュニティにおける相手を含めた相手に贈答品を贈ることを可能ならしめる贈答品発注処理システム、贈答品発注処理方法、及び贈答品発注処理プログラムを提供することにある。
【課題を解決するための手段】
【０００９】
上記目的を達成するため、本発明の贈答品発注処理システムは、ネットワークを介して贈答品情報を発信する送信者端末と、この贈答品情報を受信すると共に当該贈答品情報に付記された受信者端末に前記贈答品情報を送信する主管理装置とを備え、この主管理装置が、前記受信者端末からの返信情報により特定される贈答品をべつに設置された配送機構を介して前記受信者端末側の受信者に向けて発送処理する贈答品発送依頼処理機能を備えて成る贈答品発注処理システムにおいて、前記送信者端末は、送信側オペレータから贈答品情報と受信端末識別情報とが入力された場合に当該各情報を送信者発信情報として前記主管理装置に向けて送信し又は当該主管理装置からの情報を受信処理する送信情報入出力手段を備え、前記主管理装置は、前記送信者端末から送られてくる前記送信者発信情報を記憶するユーザ管理情報記憶手段と、この受信した前記送信者発信情報から前記受信者端末のメールアドレスを特定すると共に当該受信者端末に前記贈答品情報および贈答品受取り伺い情報を送信し且つ前記送信者発信情報から特定される贈答品をショッピングサイトに対して仮予約する送信受付処理手段と、前記受信者端末から送られてくる前記贈答品受取り伺い情報に対する返信情報に基づいて前記ショッピングサイトへの注文の確定処理若しくは注文の中止手続き処理を行う受信確定処理手段とを備えていることを特徴としている。  
【００１０】
上記目的を達成するため、本発明の贈答品発注処理方法は、送信者端末から発信される贈答品情報をネットワークを介して主管理装置が受信し、この受信された贈答品情報に基づいて特定される受信者端末に対して前記主管理装置は当該贈答品情報を送信すると共に、これに対する前記受信者端末からの返信情報によって特定される贈答品を、前記主管理装置はショッピングサイトと連携し且つ配送機構を介して前記受信者端末側の受信者に向けて発送処理する贈答品発注処理方法において、送信側オペレータから贈答品情報と受信端末識別情報とが前記送信者端末に入力された場合に当該送信者端末では送信情報入出力手段が作動して当該各情報を送信者発信情報として前記主管理装置に向けて送信し、前記送信者端末から送られてくる前記送信者発信情報を前記主管理装置が予め装備したユーザ管理情報記憶手段にて記憶し、前記主管理装置の送信受付処理手段が機能して、前記受信した送信者発信情報から前記受信者端末のメールアドレスを特定すると共に当該受信者端末に対して前記贈答品情報および贈答品受取り伺い情報を送信し、送信受付処理手段は、前記送信者発信情報から特定される贈答品をショッピングサイトに対して仮予約する手続きを実行し、その後、前記主管理装置の受信確定処理手段が機能して、前記受信者端末から送られてくる前記贈答品受取り伺い情報に対する回答に基づいて前記ショッピングサイトへの注文の確定処理若しくは注文の中止手続き処理を行うことを特徴としている。
【００１１】
上記目的を達成するため、本発明の贈答品発注処理プログラムは、ネットワークを介して贈答品情報を発信する送信者端末と、この贈答品情報を受信すると共に受信者端末を特定して当該受信者端末に前記贈答品情報を送信する主管理装置とを備え、この主管理装置が、前記受信者端末からの返信情報により特定される贈答品を配送機構を介して前記受信者端末側の受信者に向けて発送処理する贈答品発送依頼処理機能を備えて成る贈答品発注処理システムにあって、前記送信者端末から送られてくる前記送信者発信情報をユーザ管理情報記憶手段に記憶処理するユーザ管理情報記憶処理機能、この受信した前記送信者発信情報から前記受信者端末のメールアドレスを特定すると共に当該受信者端末に前記贈答品情報および贈答品受取り伺い情報を送信し且つ前記送信者発信情報から特定される贈答品をショッピングサイトに対して仮予約する送信情報受付処理機能、および前記受信者端末から送られてくる前記贈答品受取り伺い情報に対する返信情報に基づいて前記ショッピングサイトへの注文の確定処理若しくは注文の中止手続き処理を行う実行する受信確定処理機能、を、前記主管理装置が備えているコンピュータに実行させることを特徴としている。
【発明の効果】
【００１２】
本発明によれば、付き合いが浅く、まだ趣味なども把握できていない中で、自分の趣向および相手の趣向にあった贈答品を贈答者本人が既に所有しているものを含めて贈ることができ、この際、相手の電子メールアドレスしかわからない、又はサイバースペースなどのコミュニティにおいては電子メールアドレスすら不明でコミュニティにおけるＩＤなど受信者識別情報しかわからない場合であって、さらに相手の送付先住所などの個人情報が分からなくても前記贈答品を贈ることが可能となるという、関連技術にない優れた贈答品発注処理システム、贈答品発注処理方法、及び贈答品発注処理プログラムを提供することができる。
【図面の簡単な説明】
【００１３】
【図１】本発明の第１の実施の形態による贈答品発注処理システムの全体構成の一例を示すブロック図である。
【図２】本発明の第１の実施の形態による贈答品発注処理システムにおける動作処理手順の一例を示すフローチャートである。
【図３】本発明の第２の実施の形態による贈答品発注処理システムの全体構成の一例を示すブロック図である。
【図４】図３の贈答品発注処理システムの詳細構成の一例を示すブロック図である。
【図５】図３の贈答品発注処理システムにおけるメインサイト用管理装置のハードウエア構成の一例を示すブロック図である。
【図６】本発明の第１の実施の形態による贈答品発注処理システムにおける動作処理手順の一例を示すネットワークシーケンス図である。
【図７】図６に示す動作処理手順の後に実行する動作処理手順の一例を示すネットワークシーケンス図である。
【図８】図６に示す動作処理手順の後に実行する動作処理手順の一例を示すネットワークシーケンス図である。
【図９】図６に示す動作処理手順の後に実行する動作処理手順の一例を示すネットワークシーケンス図である。
【図１０】図６に示す動作処理手順の後に実行する動作処理手順の一例を示すネットワークシーケンス図である。
【図１１】図６に示す動作処理手順のうち送信情報受付処理の詳細手順の一例を示すフローチャートである。
【図１２】図６に示す動作処理手順のうち受信確定処理の詳細手順の一例を示すフローチャートである。
【図１３】図３の贈答品発注処理システムにおけるメインサイト用管理装置の送信商品候補リスト情報のデータ構造の一例を示す説明図である。
【図１４】本発明の第３の実施の形態による贈答品発注処理システムの全体構成の一例を示すブロック図である。
【図１５】本発明の第３の実施の形態による贈答品発注処理システムにおける動作処理手順の一例を示すネットワークシーケンス図である。
【図１６】図１５に示す動作処理手順の後に実行する動作処理手順の一例を示すネットワークシーケンス図である。
【図１７】図１５に示す動作処理手順の後に実行する動作処理手順の一例を示すネットワークシーケンス図である。
【図１８】図１５に示す動作処理手順の後に実行する動作処理手順の一例を示すネットワークシーケンス図である。
【図１９】図１５に示す動作処理手順の後に実行する動作処理手順の一例を示すネットワークシーケンス図である。
【図２０】図１５に示す動作処理手順のうち送信情報受付処理の詳細手順の一例を示すフローチャートである。
【図２１】図１５に示す動作処理手順のうち受信確定処理の詳細手順の一例を示すフローチャートである。
【発明を実施するための形態】
【００１４】
〔第１の実施の形態〕
先ず、本発明の一実施の形態における贈答品発注処理システムの基本的構成について説明する。
（構成）
図１に示すように、本発明の一実施の形態における贈答品発注処理システム１Ａは、送信者作成選択肢受信者選択型贈答を行うことを可能とするものであり、ネットワークＮＷを介して贈答品情報を発信する送信者端末１０と、この贈答品情報を受信すると共に当該贈答品情報に付記された受信者端末２０に前記贈答品情報を送信する主管理装置１００Ａとを備える。
【００１５】
この主管理装置１００Ａが、受信者端末２０からの返信情報により特定される贈答品をべつに設置された配送機構を含む配送システム４００を介して受信者端末２０側の受信者に向けて発送処理する贈答品発送依頼処理機能を備える。
【００１６】
送信者端末１０は、送信側オペレータから贈答品情報と受信端末識別情報とが入力された場合に当該各情報を送信者発信情報として主管理装置１００Ａに向けて送信し又は当該主管理装置１００Ａからの情報を受信処理する送信情報入出力手段１０Ａを備える。
【００１７】
主管理装置１００Ａは、送信者端末１０から送られてくる前記送信者発信情報を記憶するユーザ管理情報記憶手段１８２と、この受信した前記送信者発信情報から受信者端末２０のメールアドレスを特定すると共に当該受信者端末２０に前記贈答品情報および贈答品受取り伺い情報を送信し且つ前記送信者発信情報から特定される贈答品をショッピングサイトに対して仮予約する送信受付処理手段１０４と、受信者端末２０から送られてくる贈答品受取り伺い情報に対する返信情報に基づいて前記ショッピングサイトへの注文の確定処理若しくは注文の中止手続き処理を行う受信確定処理手段１３０とを備えている。
【００１８】
又、主管理装置１００Ａは、送信者端末１０から送られてくる前記贈答品情報が複数の贈答品が記載された贈答品リストである場合には、前記商品受取り伺い情報の記載内容に、前記受信者側への贈答品選択伺いの案内を含めて送信する。
【００１９】
更に、送信者端末１０から出力される前記贈答品情報には、送信者自身が保持する贈答品としての商品が含まれている。
【００２０】
更に又、受信者端末２０から送られてくる前記受取り伺い情報に対する回答には、当該受信者端末２０から送られてくる個人情報として配送先の住所および氏名が含まれている。
【００２１】
又、主管理装置１００Ａは、受信者端末２０から送られてくる前記贈答品情報にかかる返信情報にあって、送信者端末１０側の送信者が保持してる贈答品を指定している場合には、送信者端末１０に対して贈答品準備通知を発信すると共に、主管理装置１００Ａにおける各処理手段の実行を停止制御し且前記配送機構を含む配送システム４００に対して送信者端末１０が保持している贈答品の配送を指令する贈答品配送指令手段１４０Ａを備える。
【００２２】
更に、前記送信受付処理手段１０４における仮予約に際しては、予約が確定した際の決算方法や贈答品に添付するメッセージ等を当該仮予約の内容の一部として設定する。
【００２３】
又、前記送信情報入出力手段１０Ａには、前記主管理装置１００Ａやその他の各種装置などとの情報通信の内容をその都度外部表示する外部表示手段１０Ｂを装備してよい。
この場合、前記ユーザ管理情報記憶手段１８２は、コミュニティやセカンドライフなどのサイバースペースを利用する際の登録内容および前記受信者端末２０と送信者端末１０との相互間の交信内容を蓄積記録してよい。
【００２４】
又、前記主管理装置１００Ａは、送信者端末１０から送られてくる前記受信端末識別情報がメールアドレスである場合にはこれを贈答品の送信先情報として前記ユーザ管理情報記憶手段１３２に記憶すると共に、送信者端末１０から送られてくる前記受信端末識別情報がＩＤ情報である場合には当該ＩＤ情報にかかるメールアドレスを前記ユーザ管理情報記憶手段を検索し特定する送信先特定機能１１４を備えてよい。
【００２５】
更に、前記主管理装置１００Ａは、贈答品配送先の住所が確定した場合に機能するサイト再選択手段１３２を有してよい。
このサイト再選択手段１３２が、前記配送先の住所の近隣にあって前記贈答品を扱っている複数のショッピングサイトをネット回線を利用して特定すると共に、前記複数のショッピングサイトの内、少なくとも商品価格と送料と配送時間とを検討し、これに基づいて最適な一のショッピングサイトを優先的に特定するショッピングサイト再選択機能を備える。
【００２６】
（動作）
次に、この贈答品発注処理システムの動作を図２を用いて説明する。
本実施の形態に係る贈答品発注処理における全体の動作処理手順は、送信者端末１０から発信される贈答品情報をネットワークを介して主管理装置１００Ａが受信し、この受信された贈答品情報に基づいて特定される受信者端末２０に対して前記主管理装置１００Ａは当該贈答品情報を送信すると共に、これに対する前記受信者端末２０からの返信情報によって特定される贈答品を、前記主管理装置１００Ａはショッピングサイトと連携し且つ配送機構を介して前記受信者端末２０側の受信者に向けて発送処理するシステムを対象とするものである。
【００２７】
本実施の形態に係る贈答品発注処理における全体の動作処理手順は、基本的手順として、先ず、送信側オペレータから贈答品情報と受信端末識別情報とが前記送信者端末１０に入力された場合に当該送信者端末１０では送信情報入出力手段１０Ａが作動して当該各情報を送信者発信情報として前記主管理装置に向けて送信する（図２に示すステップＳ１１）。
【００２８】
そして、前記送信者端末１０から送られてくる前記送信者発信情報を前記主管理装置１００Ａが予め装備したユーザ管理情報記憶手段１８２にて記憶し（図２に示すステップＳ１２）、前記主管理装置１００Ａの送信受付処理手段１０４が機能して、前記受信した送信者発信情報から前記受信者端末２０のメールアドレスを特定すると共に当該受信者端末２０に対して前記贈答品情報および贈答品受取り伺い情報を送信する（図２に示すステップＳ１３）。
【００２９】
一方、送信受付処理手段１０４は、前記送信者発信情報から特定される贈答品をショッピングサイトに対して仮予約する手続きを実行する（図２に示すステップＳ１４）。
その後、前記主管理装置１００Ａの受信確定処理手段１３０が機能して、前記受信者端末２０から送られてくる前記贈答品受取り伺い情報に対する回答に基づいて前記ショッピングサイトへの注文の確定処理若しくは注文の中止手続き処理を行う（図２に示すステップＳ１５）。
【００３０】
更に、この贈答品発注処理における動作処理手順では、受信者端末２０から送られてくる前記返信情報にあって、送信者端末１０側の送信者が保持してる贈答品を指定している場合には、主管理装置１００Ａは、送信者端末１０に対して贈答品準備通知を発信すると共に、当該主管理装置１００Ａにおける前記各処理手段の実行を停止制御し且つ前記配送機構に対して前記送信者端末１０が保持している贈答品の配送を指令する（図２に示すステップＳ１６）。
【００３１】
更に、この贈答品発注処理における動作処理手順では、前記送信者端末１０から送られてくる前記受信端末識別情報がメールアドレスである場合、前記主管理装置１００Ａはこれを贈答品の送信先情報として前記ユーザ管理情報記憶手段１８２に記憶し、前記送信者端末１０から送られてくる前記受信端末識別情報がＩＤ情報である場合、前記主管理装置１００Ａは当該ＩＤ情報にかかるメールアドレスを前記ユーザ管理情報記憶手段１８２の記憶内容を検索して特定してもよい。
【００３２】
又更に、この贈答品発注処理における動作処理手順では、前記贈答品の配送先の住所が確定した場合、前記主管理装置１００Ａのサイト再選択手段１３２が機能し、前記配送先の住所の近隣にあって前記贈答品を扱っている複数のショッピングサイトをネット回線を利用して特定し、この複数のショッピングサイトの内、少なくとも商品価格と送料と配送時間とを検討して最適な一のショッピングサイトを優先的に特定し、次にこのサイト再選択手段により特定された一のショッピングサイトに対して前記受信確定処理手段１３０が機能して仮予約を含む所定の対応処理を実行してもよい。
【００３３】
このような贈答品発注処理システムでは、送信側の趣向を反映し、受信側の条件により選択可能な贈答を実現する送信者作成選択肢受信者選択型贈答を支援する処理動作を制御する。
これにより、付き合いが浅く、まだ趣味なども把握できていない中で、自分の趣向および相手の趣向にあった贈答品を贈答者本人が既に所有しているものを含めて贈ることができ、この際、相手の電子メールアドレスしかわからない、又はサイバースペースなどのコミュニティにおいては電子メールアドレスすら不明でコミュニティにおけるＩＤなど受信者識別情報しかわからない場合であって、さらに相手の送付先住所などの個人情報が分からなくても前記贈答品を贈ることが可能となる
【００３４】
すなわち、送信者が事前に相手に贈答したい品を数種類指示入力又は選択し、受信者はその内容の中から選択をするため、送信者の送付したい意思を反映できる。この際、受信者側で趣味に合わない、既存所有物と重複する、このような高価なものは受け取れない、などの都合も解決でき、また、送信者に受信者の住所を通知することなく運営が可能なため、必要であれば送信者・受信者で住所情報のやりとりをせずに贈答品などのプレゼントの授受が行える。
このように、個人情報保護の見地から住所を他人に教えなくなりつつある。その中で物としてのプレゼントを気軽に送付する手段として活用できる。  
【００３５】
以下、このような「贈答品発注処理システム」のさらに具体的な実施の形態の一例について、相手の電子メールアドレスしかわからない場合（第２の実施の形態）、電子メールアドレスすら分からずサーバースペースにおけるコミュニティＩＤしかわからない場合（第３の実施の形態）に分けて図面を参照して説明する。
【００３６】
〔第２の実施の形態〕
（全体構成）
次に、本第２の実施の形態の贈答品発注処理システムの構成について説明する。図３は、本発明における第２の実施の形態の贈答品発注処理システムの全体の概略構成の一例を示すブロック図である。
【００３７】
図３に示すように、本実施の形態の贈答品発注処理システム１Ｂでは、前記第１の実施の形態と同様の構成である送信者端末１０、受信者端末２０、主管理装置の一部であるメインサイト管理装置１００、配送システム４００に加え、第１のショッピングサイト用管理装置２００、第２のショッピングサイト用管理装置３００を備えている。
本実施の形態では、贈答品としては、商品、ギフト、返礼品、御中元、御歳暮、販促用ギフト用品、記念品、プレゼントなどを含んでよい。
送信者端末１０は、商品など贈答品を送付しようとする送信者が利用するものである。
受信者端末１０は、送信者端末１０と通信ネットワーク（通信網）ＮＷを介して通信接続され送信者端末１０と情報の授受を行い贈答品を受け取るために受信者が利用する（贈答品を受け取ることを送信者によって意図された受信者が利用するものである。
メインサイト用管理装置１００は、送信者端末１０及び受信者端末２０と通信ネットワークＮＷを介して通信接続され、送信者端末１０と受信者端末２０との間での情報の授受動作を管理する（本システムにおける主処理を行うメインサイトを備えている）ものである。
配送システム４００は、メインサイト用管理装置１００と連携して動作する配送機能を含むものである。
【００３８】
又、贈答品発注処理システム１Ｂは、第１のショッピングサイト用管理装置２００、第２のショッピングサイト用管理装置３００を備え、メインサイトの背後にいくつかのショッピングサイト（本構成図では例えば第１のショッピングサイト、第２のショッピングサイトなどと記載）を提示可能としている。
【００３９】
（ハードウエア構成）
ここで、本実施の形態の贈答品発注処理システムを動作させるための前提となるハードウエア構成の一例について、図４を参照して説明する。
図４を参照すると、メインサイト用管理装置１００は、制御手段としての制御モジュールの一部又は一例であるプロセッサモジュール１０１ｆと、記憶媒体モジュール１０１ｄと、記憶媒体モジュール１０１ｅと、入力モジュール１０１ａと、出力モジュール１０１ｂと、通信モジュール１０１ｃとから構成されている。
【００４０】
プロセッサモジュール１０１ｆは、各種ソフトウェアプログラム（コンピュータプログラム）を実行することにより、時相論理式作成支援装置の全体的な動作を司る。ここで、プロセッサモジュールとしては、例えば１又は複数のＣＰＵの他、ＭＰＵ、ＧＰＵ、ＤＳＰ等のいずれか１つ又は複数のプロセッサなどにより構成することができる。
【００４１】
記憶媒体モジュール１０１ｄ（コンピュータに読み取り可能な媒体）は、各種ソフトウェアプログラムとその実行に必要なデータを格納するための記憶媒体である。
記憶媒体モジュール１０１ｅは、記憶媒体モジュール１０１ｄを補完するための記憶媒体である。
好適な例としては、記憶媒体モジュール１０１ｄは高速に動作するメモリ、例えばＲＡＭである。
記憶媒体モジュール１０１ｅは、ある程度大きい容量を持つ記憶媒体、例えば、ハードディスクである。
ただし、記憶媒体モジュール１０１ｄ、記憶媒体モジュール１０１ｅとも、これらに例に限られないことを述べておく。また、記憶媒体モジュール１０１ｄが持つ機能と記憶媒体モジュール１０１ｅが持つ機能を併せ持つ新たな記憶媒体ないしは記憶手段を用いても良い。ここでは、記憶媒体モジュール１０１ｄ、記憶媒体モジュール１０１ｆを特に区別しない、すなわち、双方の機能を併せ持つ記憶媒体を用いるものとして説明する。  
【００４２】
入力モジュール１０１ｅは、キーボードやマウス、各種ボタン、タッチパネル等の操作入力手段としての操作入力モジュールから入力される操作入力インターフェイス機能などを備えてよい。
又、入力モジュール１０１ｅは、前述の操作入力モジュールを含んでもよいし、含まなくても（インターフェイス機能のみ）よい。
【００４３】
更に、記憶媒体モジュール１０１ｄ、１０１ｅは、制御モジュールや通信モジュールなどのワーク領域を備えてよい。
又更に、記憶媒体モジュール１０１ｄ、１０１ｅは、装置において処理途中の情報や処理結果の情報を保持する各種の記憶領域を備えてよい。又、記憶媒体モジュール１０１ｅは、他の種々の外部接続によるコンピュータ、光ディスク、光磁気ディスク、磁気テープなどにより構成することもできる。
【００４４】
出力モジュール１０１ｂは、コンピュータディスプレイやテレビモニタ（表示手段としての表示モジュール）、プロジェクタ、プリンタ（画像形成手段としての画像形成モジュール）等の情報を出力する情報出力手段としての情報出力モジュールへ各種の情報を出力する情報出力インターフェイス機能を備えてよい。
又、出力モジュール１０１ｂは、前述の情報出力モジュールを含んでもよいし、含まなくても（インターフェイス機能のみ）よい。
更に、情報出力モジュールは、前記記憶領域に保存された情報をユーザの指示に従って表示させる表示制御モジュールを含んでよい。  
【００４５】
メインサイト用管理装置１００は、この他、他の装置と各種の通信ネットワークを通じて通信を行う通信手段（送受信手段）としての通信制御モジュール（モデム、通信用プロセッサなど）や通信インターフェイス機能などを含む通信モジュール１０１ｅを備えてよい。通信インターフェースとしては、ＩＥＥＥ１３９４やＵＳＢ（ＵＳＢ２．０等）などの高速のシリアルバスのデータ転送プロトコルを用いることもできる。
【００４６】
又、メインサイト用管理装置１００は、ユーザが利用可能な情報処理装置（コンピュータ）に備えてよく、プログラム制御により動作するものであり、ネットワーク関連の通信機能を有してよい。この場合、コンピュータは、プロセッサ（制御手段：ＣＰＵあるいはＧＰＵなど）、メモリ（記憶媒体）、入力モジュール、出力モジュール、および通信モジュールなどを基本的な構成要素とする物理的装置をいう。このため、メインサイト用管理装置１００は、デスクトップ、ラップトップコンピュータ、サーバコンピュータ、その他無線・有線通信機能を有する情報機器、情報家電機器、またはこれに類するコンピュータなどいかなるコンピュータに備えてもよく、移動式・固定式を問わない。
【００４７】
更に、メインサイト用管理装置１００は、通信インターフェイス機能を有し、サーバなどで構成する場合、前述の入力モジュール１０１ｅ、出力モジュール１０１ｂのない構成であってもよい。
【００４８】
本実施形態において、プロセッサモジュール１０１ｆは、通信インターフェース、入力インターフェースなどからの要求に基づいて、記憶媒体モジュール１０１ｄ、１０１ｅを適宜参照しながら、各図に示されるネットワークシーケンス図、フローチャートなどのソフトウェアプログラムを実行し、各処理を行う。この場合、プロセッサモジュール１０１ｆ内に各処理手段を備えてよい。
要求は、入力された操作入力データないしは操作入力信号であってもよいし、各種の装置など制御する制御データないしは制御信号であってもよい。
このように、記憶媒体には、本実施形態の各処理（各手段）としてコンピュータを機能させるためのプログラム（各処理をコンピュータに実行させるためのプログラム）が記憶される。
【００４９】
又、送信者端末１０は、メインサイト用管理装置１００同様に、制御手段としての制御モジュールの一部又は一例であるプロセッサモジュール１０ｆと、記憶媒体モジュール１０ｄと、記憶媒体モジュール１０ｅと、入力モジュール１０ａと、出力モジュール１０ｂと、通信モジュール１０ｃとから構成してよい。
【００５０】
更に、受信者端末２０は、メインサイト用管理装置１００同様に、制御手段としての制御モジュールの一部又は一例であるプロセッサモジュール２０ｆと、記憶媒体モジュール２０ｄと、記憶媒体モジュール２０ｅと、入力モジュール２０ａと、出力モジュール２０ｂと、通信モジュール２０ｃとから構成してよい。
【００５１】
このような送信者端末１０における入力モジュール１０ａと出力モジュール１０ｂにより、送信者用入出力手段（送信情報入出力手段）の一部を構成できる。送信者用入出力手段は、前記送信者が既に所有している既所有贈答品を含む贈答品リスト情報と、前記受信者の電子メールアドレス情報又はサイバースペースにおける前記受信者を識別する受信者識別情報と、を入力可能とし表示機能（外部表示手段）を備えてよい。
【００５２】
又、このような送信者端末１０におけるプロセッサモジュール１０ｆ、記憶媒体モジュール１０ｄ、記憶媒体モジュール１０ｅ、通信モジュール１０ｃにより送信者用制御手段の一部を構成できる。この送信者用制御手段は、前記送信者用入出力手段にて操作入力された前記贈答品リスト情報、前記電子メールアドレス情報又は前記受信者識別情報を前記通信ネットワークを介して前記主管理装置に送信するように制御する通信機能及び記憶機能を備えてよい。
【００５３】
このような受信者端末１０における入力モジュール２０ａと出力モジュール２０ｂにより、受信者用入出力手段の一部を構成できる。受信者用入出力手段は、前記送信者端末から前記主管理装置を介して提供される前記贈答品リスト情報の中から受け取りを希望する１以上の贈答品を選択可能とし、当該受信者自身の配送先情報を入力可能とし表示機能を備えてよい。
【００５４】
又、このような受信者端末１０におけるプロセッサモジュール２０ｆ、記憶媒体モジュール２０ｄ、記憶媒体モジュール２０ｅ、通信モジュール２０ｃにより受信者用制御手段の一部を構成できる。この受信者用制御手段は、前記受取人用入出力手段にて操作入力され既に選択された既選択贈答品リスト情報及び前記配送先情報を前記通信ネットワークを介して前記主管理装置に送信するように制御する通信機能及び記憶機能を備えてよい。
【００５５】
その他の装置、システムもメインサイト用管理装置１００同様のハードウエア構成としてよい。
【００５６】
（メインサイト用管理装置の詳細構成）
ここで、本実施の形態では、送信者本人が所有する品も便宜的に商品として扱うものとする。
贈答品発注処理システム１Ｂは、図５に示すように、メインサイト用管理装置１００に物流処理手段（物流機能）１７０を備えてよい。この物流機能は、メインサイト用管理装置１００の他の配送システムであってもよい。その場合、配送システムは、メインサイト用管理装置１００と連携して動作することができる。
【００５７】
又、贈答品発注処理システム１Ｂにおけるメインサイト用管理装置１００は、図５に示すように、内部的な管理として送信商品候補リスト情報（送信用贈答品リスト情報）が記憶されている贈答品リスト情報記憶手段としての送信商品候補リスト記憶手段（送信商品候補リスト記憶領域）１８１と、ユーザ管理情報を記憶したユーザ管理情報記憶手段（ユーザ管理情報記憶領域）１８２とを含む構成としている。
【００５８】
メインサイト用管理装置１００は、送信者の要求を受け付ける送信情報受付処理手段１１０と、受信者に受け取り（受信）の意図があるかを確認する受信伺い処理手段１２０と、受信意図がある場合に各ショッピングサイトの注文の確定やキャンセルを行う受信確定処理手段１３０と、送信者が自前で準備する商品を発送する送信者商品発送処理手段１４０と、取引全体のトランザクションの完了を監視し送信者に結果を通知する取引後処理手段１５０と、送信者、受信者の情報をある期間管理するユーザ情報管理処理手段１６０と、を含んで構成される。
【００５９】
物流処理手段１７０（物流機能）は、送信者からの商品の収集、ショッピングサイトの商品の収集、受信者への商品の配信、出荷状況の提示、出荷結果の通知などの機能を備えてよい。
【００６０】
送信商品候補リスト情報記憶手段１８１における送信商品候補リスト情報は、送信者が受信者に対して送付したい商品のリストであり、商品の情報および扱っているショッピングサイトなどの情報を有する。
例えば図１３に示すように、送信商品候補リスト情報１８１ａのデータ構造は、送信者本人が既に所有する商品であるのか、ショッピングサイトの商品であるのか（より詳しくはどのショッピングサイトか）を示す商品（贈答品）所有種別情報１８１ｂ、個々の商品を識別する商品識別情報１８１ｃ、受信者が「受け取る」を選択したのか「受け取らない」を選択したのかを示す受信者受け取り情報（受信者商品選択情報）１８１ｄ、配送が完了したのか否かを示す配送完了情報１８１ｅと、その他送信者ＩＤ、受信者ＩＤがそれぞれ対応づけられている。
【００６１】
ユーザ管理情報記憶手段１８２では、送信者に関する送信ユーザの情報、受信者に関する受信ユーザの情報を管理する。
【００６２】
送信受付処理手段の一部としての送信情報受付処理手段１１０は、前記贈答品に前記送信者が既に所有している既所有贈答品を含む場合には前記送信者端末に対しては贈答品リストに関する情報の操作入力又は既登録贈答品リスト情報の提示による前記送信者による前記贈答品の選択指示入力を促し、前記受信者の電子メールアドレス情報又は前記サイバースペースにおける前記受信者を識別する受信者識別情報の入力を促すとともに、前記送信者端末にて入力された前記電子メールアドレス情報又は前記受信者識別情報と前記贈答品リストに関する情報又は前記選択指示とを受信し、送信用贈答品リスト情報を生成し、前記電子メールアドレス情報を受信した場合には当該電子メールアドレスを送信先とし前記送信用贈答品リスト情報を前記受信者に提供するための贈答品リスト提供用通知メールを生成する機能を備える。
【００６３】
又、送信情報受付処理手段１１０は、前記送信者端末に対しては前記ショッピングサイトで贈答品を選択するのか前記既所有贈答品にするのかの第１の選択を促し、前記ショッピングサイトで贈答品を選択すると判定した場合には前記送信者端末から前記ショッピングサイトにアクセスさせ前記１以上のショッピングサイトに提示された贈答品の中からいずれの贈答品とするのかの第２の選択を促すとともに、選択された贈答品に基づいて前記送信用贈答品リスト情報を生成し、この前記送信用贈答品リスト情報の贈答品について前記ショッピングサイト用管理装置に仮予約の登録指示を送信する判断制御機能を備えている。
【００６４】
送信受付処理手段の一部としての受信伺い処理手段１２０は、この贈答品リスト提供用通知メールを前記受信者端末に対して送信する機能を備えている。  
【００６５】
受信確定処理手段１３０は、前記受信者端末に対しては前記送信用贈答品リスト情報の提示による受信者による選択入力と前記受信者の個人情報の操作入力とを促すとともに、前記受信者端末にて操作入力された選択済みの既選択贈答品リスト情報と前記受信者の個人情報とを受信し、前記既選択贈答品リスト情報の既選択贈答品に前記既所有贈答品を含む場合には、前記既所有贈答品を送付する準備するように贈答品準備通知を前記送信者端末に対して送信する機能を備えている。
【００６６】
又、受信確定処理手段１３０は、前記受信者端末から配送先情報及び前記既選択贈答品リスト情報を受信した際に、前記既選択贈答品がある場合には仮予約を確定する指示を該ショッピングサイト用管理装置に送信し、非選択贈答品がある場合には仮予約を取り消す指示を該ショッピングサイト用管理装置に送信し、前記非選択贈答品が前記既所有贈答品の場合にはキャンセル通知を前記送信者端末に送信する判断制御機能を備える。
【００６７】
贈答品配送指令手段の一部としての送信者商品発送処理手段１４０は、前記送信者からの前記既所有贈答品を受付後に受信者宛に前記既所有贈答品を含む前記既選択贈答品リスト情報の既選択贈答品を配送するように、配送指示を前記配送システムに通知する送信者商品発送処理制御手段を備えている。
【００６８】
（ショッピングサイト用管理装置の詳細構成）
第１のショッピングサイト用管理装置２００、第２ショッピングサイト用管理装置３００などの各種のショッピングサイト用管理装置は、メインサイト用管理装置１００と連携して動作する。
その中の一つである第１のショッピングサイト用管理装置２００は、送信者端末１０と通信ネットワークＮＷを介して通信接続され、送信者端末１０と情報の授受を行い、前記送信者が前記贈答品を購入するためのショッピングサイトを送信者端末１０に対して提供し、メインサイト用管理装置１００（主管理装置）と連携して動作する。
【００６９】
又、第１のショッピングサイト用管理装置２００は、送信者の意図する商品の発送に関する仮予約を行う予約受付処理手段２１０と、受信者が受け取り意思を明示的に拒否、もしくは、他の商品を選択などして仮予約した商品の取引をキャンセルしたり、有効期間内に取引が成立しなかったりした場合に予約を取り消す予約取消処理手段２２０と、受信者が受け取り意思を示した商品に関する予約確定処理手段２３０と、商品の発送を行い、受信者に届いた事をメインサイトに通知する発送後処理手段２４０と、を含んで構成される。
【００７０】
（送信者端末の詳細構成）
送信者端末１０における送信者用制御手段の機能は、メインサイトに対してプレゼントの候補の登録および受信者の情報を登録する注文処理手段１１と、ショッピングサイトからではなく送信者自身で準備する送信者商品準備処理手段１２と、受信者が受け取り意思を示したか、何を受け取ったかなどの情報を得る注文結果確認処理手段１３とを含む構成としている。
【００７１】
（受信者端末の詳細構成）
受信者端末２０における受信者用制御手段の機能は、受信伺いを受け取り、受信するかどうか何を受け取るかなどを選択する受信伺い応答処理手段２１と、発送されてくる商品を受け取る商品受け取り処理手段２２とを含む構成としている。
【００７２】
（動作処理手順について）
（全体の概略動作）
次に、上述のような構成を有する贈答品発注処理システム１Ｂにおける全体の動作処理手順について、図６乃至図１２を参照しつつ説明する。
図６は、図３の贈答品発注処理システム１Ｂにおける動作処理手順の一例を示すネットワークシーケンス図であり、図７は、図６に示す動作処理手順の後に実行する動作処理手順であってショッピングサイトの商品の仮予約を取り消す場合（取消第１パターン）の一例を示すネットワークシーケンス図であり、図８は、図６に示す動作処理手順の後に実行する動作処理手順であって送信者本人が既に所有している商品について贈答をキャンセルする場合（取消第２パターン）の一例を示すネットワークシーケンス図である。
又、図９は、図６に示す動作処理手順の後に実行する動作処理手順であってショッピングサイトの商品の仮予約を確定する場合（確定第１パターン）の一例を示すネットワークシーケンス図である。
更に、図１０は、図６に示す動作処理手順の後に実行する動作処理手順であって送信者本人が既に所有している商品について贈答を確定する場合（確定第２パターン）の一例を示すネットワークシーケンス図である。
又更に、図１１は、図６に示す動作処理手順のうち送信情報受付処理の詳細手順の一例を示すフローチャートである。図１２は、図６に示す動作処理手順のうち受信確定処理の詳細手順の一例を示すフローチャートである。
【００７３】
本発明の一実施の形態に係る贈答支援制御における全体の動作処理手順は、贈答品を贈答するために送信者が利用する送信者端末と、前記贈答品を受け取るために受信者が利用する受信者端末と、前記送信者端末及び前記受信者端末と前記通信ネットワークを介して通信接続され前記送信者端末と前記受信者端末との間での情報の授受動作を管理する主管理装置と、前記主管理装置と連携して動作する配送システムと、を備え、前記主管理装置がサイバースペースにおける既登録受信者識別情報に応じた既登録電子メールアドレス情報を記憶したユーザ管理情報記憶手段を備えた贈答品発注処理システムにあって、当該贈答支援における処理動作を制御するものを対象とするものである。
【００７４】
本実施の形態に係る贈答支援制御における全体の動作処理手順は、基本的手順として、送信情報受付処理手段として機能するショッピングサイト用管理装置が備えたコンピュータ（プロセッサ）が、前記贈答品に前記送信者が既に所有している既所有贈答品を含む場合には前記送信者端末に対しては贈答品リストに関する情報の操作入力又は既登録贈答品リスト情報の提示による前記送信者による前記贈答品の選択指示入力を促し、前記受信者の電子メールアドレス情報又は前記サイバースペースにおける前記受信者を識別する受信者識別情報の入力を促すとともに、前記送信者端末にて入力された前記電子メールアドレス情報又は前記受信者識別情報と前記贈答品リストに関する情報又は前記選択指示とを受信し、送信用贈答品リスト情報を生成し、前記電子メールアドレス情報を受信した場合には当該電子メールアドレスを送信先とし前記送信用贈答品リスト情報を前記受信者に提供するための贈答品リスト提供用通知メールを生成する送信情報受付処理を実行する（図６に示すステップＳ１１０）。
【００７５】
次に、受信伺い処理手段として機能するショッピングサイト用管理装置が備えたコンピュータ（プロセッサ）が、この贈答品リスト提供用通知メールを前記受信者端末に対して送信する受信伺い処理制御を実行する（図６に示すステップＳ１２０）。
【００７６】
続いて、受信確定処理手段として機能するショッピングサイト用管理装置が備えたコンピュータ（プロセッサ）が、前記受信者端末に対しては前記送信用贈答品リスト情報の提示による受信者による受け取りを希望する１以上の贈答品の選択入力と前記受信者の個人情報の操作入力とを促すとともに、前記受信者端末にて操作入力された選択済みの既選択贈答品リスト情報と前記受信者の個人情報とを受信し、前記既選択贈答品リスト情報の既選択贈答品に前記既所有贈答品を含む場合には、前記既所有贈答品を送付する準備するように贈答品準備通知を前記送信者端末に対して送信する受信確定処理を実行する（図６、図１０に示すステップＳ１３０）。
【００７７】
その後、送信者商品発送処理手段として機能するショッピングサイト用管理装置が備えたコンピュータ（プロセッサ）が、前記送信者からの前記既所有贈答品を受付後に受信者宛に前記既所有贈答品を含む前記既選択贈答品リスト情報の既選択贈答品を配送するように、配送指示を前記配送システムに通知する送信者商品発送処理制御を実行する（図１０に示すステップＳ１４２）。
【００７８】
又、本実施の形態に係る贈答支援制御における動作処理手順では、前記送信情報受付処理を実行するに際しては、前記送信者端末に対しては前記ショッピングサイトで贈答品を選択するのか前記既所有贈答品にするのかの第１の選択を促し、前記ショッピングサイトで贈答品を選択すると判定した場合には前記送信者端末から前記ショッピングサイトにアクセスさせ前記１以上のショッピングサイトに提示された贈答品の中からいずれの贈答品とするのかの第２の選択を促すとともに、選択された贈答品に基づいて前記送信用贈答品リスト情報を生成し、この前記送信用贈答品リスト情報の贈答品について前記ショッピングサイト用管理装置に仮予約の登録指示を送信する判断制御を実行する（図１４に示すステップＳ１１５）。
【００７９】
更に、本実施の形態に係る贈答支援制御における動作処理手順では、前記受信確定処理制御を実行するに際しては、前記受信者端末から配送先情報及び前記既選択贈答品リスト情報を受信した際に、前記既選択贈答品がある場合には仮予約を確定する指示を該ショッピングサイト用管理装置に送信し、非選択贈答品がある場合には仮予約を取り消す指示を該ショッピングサイト用管理装置に送信し、前記非選択贈答品が前記既所有贈答品の場合にはキャンセル通知を前記送信者端末に送信する判断制御を実行する（図１５、図１６、図１７、図１８に示すステップＳ１３５など）。
【００８０】
（詳細動作）
以下、これを詳述する。
まず、動作前の前提として、送信者は、最近、知り合った受信者に対してプレゼントを贈ろうと意図し、送信者は、受信者のメールアドレスを知っているものとする。
【００８１】
注文処理手段１１として機能する送信者端末１０が備えたコンピュータ（プロセッサ）は、図６に示すように、注文処理（ステップＳ１０１）を行う。
この注文処理は、送信情報受付処理手段（送信受付処理手段）１１０として機能するメインサイト用管理装置１００が備えたコンピュータ（プロセッサ）が行う送信情報受付処理（ステップＳ１１０）と連動して処理を行う。
【００８２】
（送信情報受付処理ステップ：図６に示すＳ１１０）
この注文処理及び送信情報受付処理（送信受付処理）において、主に実施することは、図６を参照すると、プレゼントしてもよいと思う商品（贈答品）のリストを生成することである。
具体的には、送信者端末１０がメインサイト用管理装置１００に対して注文開始要求を送信し（ステップＳ１０２）、当該注文開始要求をメインサイト用管理装置１００が受信すると、メインサイト用管理装置１００（商品選択処理手段）が、商品選択処理を実行する（ステップＳ１１１：商品選択処理ステップないしは機能）。
【００８３】
この商品選択処理ステップＳ１１１では、メインサイト用管理装置１００が送信者端末１０に対して商品選択要求を送信し（ステップＳ１１１ａ）、送信者端末１０が当該商品選択要求を受信すると、送信者による商品選択入力に応じて送信者端末１０が商品選択情報（送信者商品選択情報）を送信し（ステップＳ１１１ｂ）、この商品選択情報（送信者商品選択情報）をメインサイト用管理装置１００が受信する。
【００８４】
ここで、商品選択要求において送信者端末１０に提示される情報には、ショッピングサイトの商品を用いるのか、送信者自身が既に所有している既所有商品（既所有贈答品）を用いるのかを選択する第１の選択を促す第１選択要求を含む。
このため、商品選択では、ショッピングサイトを参照して決定する第１の場合、もしくは、送信者自身が準備する第２の場合を選択できる。
【００８５】
更に、メインサイト用管理装置１００は、第２の場合（商品に送信者が既に所有している既所有商品を含む場合）には、送信者端末１０に対しては商品リストに関する情報の操作入力（送信者自身が商品リストを入力）を促す要求を送信できる。
又、メインサイト用管理装置１００は、第２の場合には、送信者端末１０に対しては既登録商品リスト情報の提示による前記送信者による前記商品の選択指示入力を促す要求を送信できる。
【００８６】
一方、メインサイト用管理装置１００は、第１の場合（ショッピングサイトで商品を選択すると判定した場合）には、送信者端末１０から前記ショッピングサイトにアクセスさせ前記１以上のショッピングサイトに提示された贈答品の中からいずれの贈答品とするのかの第２の選択を促す要求を送信できる。
このため、第１の場合には、送信者端末１０がメインサイト用管理装置１００にアクセスすることで、メインサイトの背後にある第１のショッピングサイト、第２のショッピングサイトなどを参照しながら、商品選択を行うことができる。
【００８７】
次に、ステップＳ１１１において第１の場合であって商品が選択されたと判断した場合には、商品仮予約処理手段として機能するメインサイト用管理装置１００が備えたコンピュータ（プロセッサ）は、第１のショッピングサイト用管理装置２００における予約受付処理ステップＳ２１０と連携した商品仮予約処理を実行し、仮予約を登録する（ステップＳ１１２：商品仮予約処理ステップないしは機能）。
すなわち、このステップＳ１１２における商品仮予約処理では、メインサイト用管理装置１００が、予約が確定した際の決済方法や添付するメッセージなどの情報の入力を促す情報入力要求を送信者端末１０に対して送信し（ステップＳ１１２ａ）、送信者端末１０が当該情報入力要求を受信すると、送信者による情報入力に応じて送信者端末１０が決済情報、添付メッセージ情報などを送信し（ステップＳ１１２ｂ）、この決済情報、添付メッセージ情報などをメインサイト用管理装置１００が受信する。  
そして、メインサイト用管理装置１００が第１のショッピングサイト用管理装置２００に対して仮予約登録要求（仮予約の登録指示）を送信し、この仮予約登録要求をもとに第１のショッピングサイト用管理装置２００が予約受付処理を実行し（ステップＳ２１０）、仮予約の登録を行う。
【００８８】
一方、ステップＳ１１１において第２の場合であって送信者自身の商品を選択したと判断した場合には、商品仮予約処理手段として機能するメインサイト用管理装置１００が備えたコンピュータ（プロセッサ）は、ステップＳ１１２では、ショッピングサイトとは連携せず、送料の決済方法などの情報の入力を促す情報入力要求を送信者端末１０に対して送信し（ステップＳ１１２ａ）、送信者端末１０が当該情報入力要求を受信すると、送信者による情報入力に応じて送信者端末１０が送料の決済方法などの情報などを送信し（ステップＳ１１２ｂ）、この送料の決済方法などの情報などをメインサイト用管理装置１００が受信する。
【００８９】
このようにして、リスト生成が完了したのかを判断し（ステップＳ１１３）、完了していない場合（図６に示すステップＳ１１３の「Ｎ」又は図１１に示すステップＳ１１３の「Ｎｏ」）、ステップＳ１１１に戻り、最終的なリストが生成完了するまで、リスト生成制御処理を繰り返す。
【００９０】
次に、リスト入力を完了すると（図６に示すステップＳ１１３の「Ｙ」）、受信者情報入力処理手段として機能するメインサイト用管理装置１００が備えたコンピュータ（プロセッサ）は、受信者情報入力処理を実行する（ステップＳ１１４：受信者情報入力制御処理ステップないしは機能）。
すなわち、このステップＳ１１４における受信者情報入力制御処理では、メインサイト用管理装置１００が、前記受信者の電子メールアドレス情報の入力を促す受信者情報入力要求を送信者端末１０に対して送信し（ステップＳ１１４ａ）、送信者端末１０が当該受信者情報入力要求を受信すると、送信者による情報入力に応じて送信者端末１０が電子メールアドレス情報などの受信者情報を送信し（ステップＳ１１４ｂ）、この電子メールアドレス情報をメインサイト用管理装置１００が受信する。
【００９１】
ここで、これらのステップのいずれかにおいて、又は後工程において、送信者端末１０から送られてくる前記受信端末識別情報がメールアドレスである場合、メインサイト用管理装置１００はこれを贈答品の送信先情報として前記ユーザ管理情報記憶手段１８２に記憶する。
又、前記送信者端末から送られてくる前記送信者発信情報（受信端末識別情報など）を前記主管理装置が予め装備したユーザ管理情報記憶手段１８２にて記憶してよい。更に、前記送信者端末から送られてくる前記送信者発信情報（贈答品情報など）を前記主管理装置が予め装備した送信者商品候補リスト情報記憶手段１８１に記憶してよい。
【００９２】
このようにして、受付処理確定処理手段として機能するメインサイト用管理装置１００が備えたコンピュータ（プロセッサ）は、受付処理確定処理を実行する（ステップＳ１１６：受付処理確定処理ステップないしは機能）。
すなわち、このステップＳ１１６における受付処理確定処理では、メインサイト用管理装置１００が、送信用贈答品リスト情報を生成し、前記電子メールアドレス情報を受信した場合には当該電子メールアドレスを送信先とし前記送信用贈答品リスト情報を前記受信者に提供するための贈答品リスト提供用通知メールを生成することができる。
【００９３】
又、このステップＳ１１６における受付処理確定処理では、リスト内に含まれる各ショッピングサイトの仮予約状態を保持し、メインサイトにおけるトランザクションとして確定する。
ここで、受付処理確定処理ステップＳ１１６もしくは他の処理において、送信者受付処理に対するキャンセル事象が発生した場合には、生成途中のリストに従って、対応するショッピングサイトに対して、予約取消処理（例においては、第１のショッピングサイト）を呼び出して、キャンセルを行う。
【００９４】
（受信伺い処理ステップ：Ｓ１２０）
送信情報受付処理ステップＳ１１０が確定すると、次に、受信伺い処理手段として機能するメインサイト用管理装置１００が備えたコンピュータ（プロセッサ）は、受信伺い処理を実行する（ステップＳ１２０：受信伺い処理ステップないしは機能）。
ここでは、メインサイト用管理装置１００が、受信者の受信者端末２０に対して、送信者から商品受け取りの伺いが来ていることを示す商品受け取り伺い通知を送信する。
【００９５】
これを受けて、受信者端末２０は、受信伺い応答処理ステップＳ１２２にて、受信確定処理ステップＳ１３０と連携し処理を行う。
【００９６】
（受信確定処理ステップ：Ｓ１３０）
ここで、図６及び図１２を参照すると、受信確定処理手段として機能するメインサイト用管理装置１００が備えたコンピュータ（プロセッサ）は、受信確定処理を実行する（ステップＳ１３０：受信確定処理ステップないしは機能）。
このステップＳ１３０では、先ず、受信意思選択処理手段として機能するメインサイト用管理装置１００が備えたコンピュータ（プロセッサ）は、受信意思選択処理を実行する（ステップＳ１３１：受信意思選択処理ステップないしは機能）。
すなわち、このステップＳ１３１における受信意思選択処理では、メインサイト用管理装置１００が、送信者が提示する送信用商品リスト情報を受信者端末２０に対して送信し（ステップＳ１３１ａ）、受信者端末２０が当該送信用商品リスト情報を受信すると、受信者による受信意思選択入力に応じて受信者端末２０が受信意思選択情報を送信し（ステップＳ１３１ｂ）、この受信意思選択情報をメインサイト用管理装置１００が受信する。  
このようにして、受信者は、送信者が提示する商品リストを参照し、受信するかどうかを選択できる。
【００９７】
次に、メインサイト用管理装置１００が、受信した受信意思選択情報に基づいて全商品につき受け取るのか、受け取らないのかを判断し（ステップＳ１３２）、受け取る意思がないと判断した場合（図６に示すステップＳ１３２の「Ｎ」又は図１２に示すステップＳ１３２の「Ｎｏ」）には、送信商品候補リスト情報の全商品に関して受け取らない状態にして、受信確定制御処理ステップＳ１３６に移る。
【００９８】
一方、受け取る意思があると判断した場合（図６に示すステップＳ１３２の「Ｙ」又は図１２に示すステップＳ１３２の「Ｙｅｓ」）には、リスト選択処理手段として機能するメインサイト用管理装置１００が備えたコンピュータ（プロセッサ）は、リスト選択制御処理を実行する（ステップＳ１３３：リスト選択処理ステップないしは機能）。
すなわち、このステップＳ１３３におけるリスト選択処理では、メインサイト用管理装置１００が、送信者が提示する送信用商品リスト情報の中から贈答を希望する商品の選択を促す受信者用商品選択要求を受信者端末２０に対して送信し（ステップＳ１３３ａ）、受信者端末２０が当該受信者用商品選択要求を受信すると、受信者による受信者用商品選択入力に応じて受信者端末２０が選択商品リスト情報（既選択贈答品リスト情報）を送信し（ステップＳ１３３ｂ）、この選択商品リスト情報をメインサイト用管理装置１００が受信する。  
このようにして、リスト選択処理では、どの商品を受け取るかの選択を行うことができる。
実装の方法によっては、複数選択するなどのバリエーションも考えられるが、本例においては、例えば１つ選択する場合であってよい。
メインサイト用管理装置１００は、選択した商品を送信商品候補リスト情報で「受け取る」状態に変更する。
【００９９】
次に、図７乃至図１０、又は図１２に示すように、配送情報入力処理手段として機能するメインサイト用管理装置１００が備えたコンピュータ（プロセッサ）は、配送情報入力処理を実行する（ステップＳ１３４：配送情報入力処理ステップないしは機能）。
すなわち、このステップＳ１３４における配送情報入力処理では、メインサイト用管理装置１００が、受信者自身が商品を受け取るための情報として住所や氏名などの配送情報を入力するように促す配送情報入力要求を受信者端末２０に対して送信し（ステップＳ１３４ａ）、受信者端末２０が当該配送情報入力要求を受信すると、受信者による配送情報入力に応じて受信者端末２０が配送情報を送信し（ステップＳ１３４ｂ）、この配送情報をメインサイト用管理装置１００が受信する。  
このようにして、配送情報入力処理では、受信者自身が商品を受け取るための情報として、住所や氏名などの情報を入力できる。
【０１００】
次に、受信確定制御処理手段として機能するメインサイト用管理装置１００が備えたコンピュータ（プロセッサ）は、受信確定制御処理を実行する（ステップＳ１３６：受信確定制御処理ステップないしは機能）。
すなわち、このステップＳ１３６における受信確定制御処理では、図７乃至図１０の４つのパターンの処理を以降の処理で行うように制御する。
ステップＳ１３６では、送信商品候補リスト情報の各商品に関して、「受け取る」、「受け取らない」、ショッピングサイトの商品か、送信者本人の商品かに従い４つのパターンに応じた処理を行う。
【０１０１】
先ず、「受け取らない」各商品に関して、仮予約の取消処理を実行する。
第１のパターンとしてショッピングサイトの商品に関しては、メインサイト用管理装置１００が、第１のショッピングサイト用管理装置２００に対して仮予約取消要求を送信し（図７に示すステップＳ１３６ａ）、第１のショッピングサイト用管理装置２００が当該仮予約取消要求を受信し、予約取消処理ステップＳ２２０と連動して、キャンセル処理を実行することになる（図７）。
【０１０２】
第２のパターンとして送信者自身の商品の場合は、メインサイト用管理装置１００が、送信者端末１０に対してキャンセルである旨のキャンセル通知を送信し（図８に示すステップＳ１３６ｂ）、送信者商品準備処理ステップＳ１５０と連携して、送信者側での準備をキャンセルする（図８）。
【０１０３】
一方、「受け取る」商品に関しては予約確定のための手続きを実施する。
第３のパターンとして該当商品がショッピングサイトのものであれば、予約確定処理ステップＳ１６０と連動して、ショップでの取引を確定する（図９）。
予約確定処理ステップＳ１６０との連携において、第１のショッピングサイト用管理装置２００は、要求におうじて（ステップＳ１４０ａ）、受信者の住所を氏名など配送に必要な情報（配送情報）および決済に必要な送信者の決済方法（決済関連情報）を、メインサイト用管理装置１００のユーザ情報管理処理ステップＳ１４０と連携して受信する。そして、第１のショッピングサイト用管理装置２００は、受信者に対して商品を発送する指示を行うとともに、受信者端末２０に対して商品発送通知を送信する（ステップＳ１６２）。
【０１０４】
第４のパターンとして該当商品が送信者自身のものである場合には、送信者端末１０の送信者商品準備処理ステップＳ１５０と連携し、メインサイト用管理装置１００が、送信者端末１０に対して商品準備要求を送信し（図１０に示すステップＳ１３６ｄ）、送信者に該当商品の準備を要求する（図１０）。
【０１０５】
ここで、受信確定処理ステップＳ１３０において、送信者自身の商品が選択された場合に、送信者は商品の準備をする必要がある。
送信者商品準備処理ステップＳ１５０と連携して、メインサイト用管理装置１００から物流機能を備えた配送システムに指示（ステップＳ１４４ａ）が出て、物流制御処理ステップＳ１４４を実行し、送信者から商品を受け取り、受信者に対して商品を発送する。
すなわち、物流制御処理ステップＳ１４４では、送信者端末１０からの第１商品発送通知を受信し（ステップＳ１１４ｂ）、実際に送信者からの商品を受け取ったことを確認すると、受信者端末２０に対して第２商品発送通知を送信し（ステップＳ１４４ｄ）、実際に受信者に商品を発送する。
【０１０６】
また、図７乃至図１０において、取引後処理手段として機能するメインサイト用管理装置１００が備えたコンピュータ（プロセッサ）は、取引後処理を実行する（ステップＳ１８０：取引後処理ステップないしは機能）。
すなわち、このステップＳ１８０における取引後処理では、送信商品候補リストの各商品が（「受け取らない」）もしくは（「受け取る」で且つ取引が終了）になることを管理する。
例えば図９に示す第３のパターンで、ショッピングサイトに要求した商品発送に関しては、第１のショッピングサイトだとすれば、発送後処理ステップＳ１７０において、受信者端末２０の商品受け取り処理ステップＳ１６３で商品を受け取ったことを確認し、第１のショッピングサイト用管理装置２００が受信者端末２０から商品受け取り通知を受信すると（ステップＳ１６３ａ）、第１のショッピングサイト用管理装置２００
は、メインサイト用管理装置１００にも商品受け取り通知を通知する。  
これをもって、取引後処理ステップＳ１８０では、リストの該当商品に関して取引終了という状態にする。
【０１０７】
一方、図１０に示す第４のパターンで、送信者自身の準備した商品に関しては、送信者商品発送処理ステップＳ１４２にて物流機能（配送システムの配送機構）における物流制御処理ステップＳ１４４に要求した受信者への配送を、受信者端末２０の商品受け取り処理ステップＳ１６３で受け取った場合に、受信者端末２０からの商品受け取り通知を受信し（ステップＳ１６３ａ）、メインサイト用管理装置１００が物流機能（配送システム）における物流制御処理ステップＳ１４４から配送完了通知を得て（ステップＳ１４４ｆ）、リストの該当商品に関して取引終了状態にする。
【０１０８】
最後に、図７乃至図１０において、メインサイト用管理装置１００の取引後処理ステップＳ１８０と送信者端末１０の注文結果確認処理ステップＳ１９０が連動することによって、メインサイト用管理装置１００からの注文結果確認通知が送信者端末１０にて受信されて、送信者端末１０は注文が完了したことを認識する。
【０１０９】
以上のように本実施の形態によれば、付き合いが浅く、まだ趣味なども把握できていない中で、自分の趣向および相手の趣向にあった贈答品を贈答者本人が既に所有しているものを含めて贈ることができ、この際、相手の電子メールアドレスしかわからない場合であって、さらに相手の送付先住所などの個人情報が分からなくても前記贈答品を贈ることが可能となる。
【０１１０】
ここで、上述の動作処理手順において、図６に示すステップＳ１１１ｂ、ステップＳ１１２ｂ、ステップＳ１１４ｂなどの各情報の送信ステップを含むステップは、前記第１の実施の形態におけるステップＳ１１の一例である。
又、図６に示すステップ１１６、ステップＳ１２０を含むステップは、前記第１の実施の形態におけるステップＳ１２及びＳ１３の一例である。更に、図６に示すステップＳ１１２は、前記第１の実施の形態におけるステップＳ１４の一例である。
又更に、図６に示すステップＳ１３０に含まれる図９に示すステップＳ１３６ｃ、図７に示すステップＳ１３６ａを含むステップは、前記第１の実施の形態におけるステップＳ１５の一例である。
更に又、図１０に示すステップＳ１３６ｄ、図８に示すステップＳ１４２などを含むステップは、前記第１の実施の形態におけるステップＳ１６の一例である。
【０１１１】
［第３の実施の形態］
次に、本発明にかかる第３の実施の形態について、図１４乃至図２１に基づいて説明する。以下には、前記第１の実施の形態の実質的に同様の構成に関しては説明を省略し、異なる部分についてのみ述べる。
【０１１２】
本実施の形態では、送信者は、コミュニティやセカンドライフなどバーチャル空間（サイバースペース）における知人に対してプレゼントを贈ることができる構成である。送信者は、受信者の居住地やメールアドレスも知らない。そのため、遠隔地であったり、国外であったりする可能性がある。
【０１１３】
具体的には、本実施の形態における贈答品発注処理システム１Ｃは、図１４に示すように、前記第２の実施の形態の構成に加え、サイバースペースにおけるコミュニティサイトやセカンドライフ（仮想空間利用サイト）などを各端末に提供可能なコミュニティサイト管理装置５００を備える構成としている。
送信者端末１０および受信者端末２０は、コミィニティサイト管理装置５００に通信ネットワークＮＷを通じてアクセスし、コミュニティサイトやセカンドライフなどその他これに類する各種サイトを利用できるようになっており、利用する際の登録情報は主管理装置であるメインサイト用管理装置１００のユーザ管理情報記憶手段１８２およびコミュンティサイト管理装置５００にそれぞれ記憶してよい。
【０１１４】
送信者端末１０の送信情報入出力手段には、前記主管理装置との情報通信の内容をその都度外部表示する外部表示手段が装備される。
ユーザ管理情報記憶手段１８２は、コミュニティやセカンドライフなどのサイバースペースを利用する際の登録内容および前記受信者端末と送信者端末との相互間の交信内容を蓄積記録する。
【０１１５】
又、ユーザ管理情報記憶手段１８２は、サイバースペースにおける前記受信者を識別する既登録受信者識別情報に応じた既登録電子メールアドレス情報を記憶してよい。
更に、メインサイト用管理装置１００は、贈答品配送先の住所が確定した場合に機能するサイト再選択手段１３２を有する。
このサイト再選択手段１３２が、前記配送先の住所の近隣にあって前記贈答品を扱っている複数のショッピングサイトをネット回線を利用して特定すると共に、前記複数のショッピングサイトの内、少なくとも商品価格と送料と配送時間とを検討し、これに基づいて最適な一のショッピングサイトを優先的に特定するショッピングサイト再選択機能を備える。
【０１１６】
又、送信受付処理手段の一部としての送信情報受付処理手段１１０は、前記贈答品に前記送信者が既に所有している既所有贈答品を含む場合には前記送信者端末に対しては贈答品リストに関する情報の操作入力又は既登録贈答品リスト情報の提示による前記送信者による前記贈答品の選択指示入力を促し、サイバースペースにおける前記受信者を識別する受信者識別情報の入力を促すとともに、前記送信者端末にて入力された前記受信者識別情報と前記贈答品リストに関する情報又は前記選択指示とを受信し、送信用贈答品リスト情報を生成する。
【０１１７】
又、送信受付処理手段の一部としての送信情報受付処理手段１１０は、前記受信者識別情報を受信した場合には前記ユーザ管理情報記憶手段を参照して対応する既登録電子メールアドレス情報を取得し、当該電子メールアドレスを送信先とし前記贈答品リスト情報を前記受信者に提供するための贈答品リスト提供用通知メールを生成する受信者情報取得制御機能（例えば図１５や図２０に示すステップＳ１１５による機能）を備える。
この機能は、送信者端末から送られてくる前記受信端末識別情報がメールアドレスである場合にはこれを贈答品の送信先情報として前記ユーザ管理情報記憶手段に記憶すると共に、前記送信者端末から送られてくる前記受信端末識別情報がＩＤ情報である場合には当該ＩＤ情報にかかるメールアドレスを前記ユーザ管理情報記憶手段を検索し特定する送信先特定機能を含む。
【０１１８】
受信確定処理手段１３０は、前記受信者端末から配送先情報及び前記既選択贈答品リスト情報を受信した際に、送料を含む既選択贈答品の合計価格、配送時間のうち一又は複数が最少になるショッピングサイトを再選択する判断制御機能を備える。
【０１１９】
又、受信確定処理手段１３０は、前記再選択したショッピングサイトで仮予約を確定した場合には、それ以前に仮予約していたショッピングサイトの贈答品に関しては仮予約を取り消す指示を該ショッピングサイト用管理装置に送信し、前記再選択したショッピングサイトでの予約ができない場合には、それ以前に仮予約していたショッピングサイトでの仮予約を確定する指示を該ショッピングサイト用管理装置に送信する判断制御機能を備える。    
【０１２０】
この場合の動作処理手順（動作制御手順）は、前記第２の実施の形態とほぼ同様である。
【０１２１】
すなわち、本実施の形態に係る贈答支援制御における動作処理手順では、前記送信情報受付処理をするに際しては、前記受信者識別情報を受信した場合には前記ユーザ管理情報記憶手段を参照して対応する既登録電子メールアドレス情報を取得し、当該電子メールアドレスを送信先とし前記送信用贈答品リスト情報を前記受信者に提供するための贈答品リスト提供用通知メールを生成する受信者情報取得処理を実行する（例えば図１５、図２０に示すステップＳ１１５など）ことができる。
【０１２２】
ここで、送信者端末１０から送られてくる前記受信端末識別情報がメールアドレスである場合、メインサイト用管理装置１００はこれを贈答品の送信先情報として前記ユーザ管理情報記憶手段１８２に記憶する（図１５、図２０に示すステップＳ１１４など）。又、前記送信者端末から送られてくる前記受信端末識別情報がＩＤ情報である場合、前記主管理装置は当該ＩＤ情報にかかるメールアドレスを前記ユーザ管理情報記憶手段の記憶内容を検索して特定する（図１５、図２０に示すステップＳ１１５など）。
【０１２３】
又更に、この贈答品発注処理における動作処理手順では、前記贈答品の配送先の住所が確定した場合、前記主管理装置のサイト再選択手段が機能し、前記配送先の住所の近隣にあって前記贈答品を扱っている複数のショッピングサイトをネット回線を利用して特定し、この複数のショッピングサイトの内、少なくとも商品価格と送料と配送時間とを検討して最適な一のショッピングサイトを優先的に特定し（図２１に示すステップＳ１３５の一部）、次にこのサイト再選択手段により特定された一のショッピングサイトに対して前記受信確定処理手段が機能して仮予約を含む所定の対応処理を実行する（図２１に示すステップＳ１３５の一部）。
【０１２４】
具体的には、前記受信確定処理を実行するに際しては、前記受信者端末から配送先情報及び前記既選択贈答品リスト情報を受信した際に、送料を含む既選択贈答品の合計価格、配送時間のうち一又は複数が最少になるショッピングサイトを再選択する判断制御を実行する（例えば図１６、図１７、図１８、図１９、図２１に示すステップＳ１３５など）。
【０１２５】
更に、本実施の形態に係る贈答支援制御における動作処理手順では、前記受信確定処理を実行するに際しては、前記再選択したショッピングサイトで仮予約を確定した場合には、それ以前に仮予約していたショッピングサイトの贈答品に関しては仮予約を取り消す指示を該ショッピングサイト用管理装置に送信し、前記再選択したショッピングサイトでの予約ができない場合には、それ以前に仮予約していたショッピングサイトでの仮予約を確定する指示を該ショッピングサイト用管理装置に送信する判断制御を実行する（例えば図１６、図１７、図１８、図１９、図２１に示すステップＳ１３６など）。
【０１２６】
以下、これを詳述する。
図１５及び図２０を参照すると、送信情報受付処理制御ステップＳ１１０における各ステップの実行途中で、送信相手の物理的な距離によって、ショッピングサイトの選択しなおしを許容するかどうかの選択をする。
具体的には、先ず、受信者情報入力制御処理ステップＳ１１４においては、電子メールアドレスではなく、バーチャル空間（サイバースペース）におけるＩＤを入力する。
受信者情報取得制御処理ステップＳ１１５において、バーチャル空間のＩＤ管理と連携し、メールアドレスもしくは住所などの情報を取得する。
【０１２７】
受信確定処理での差異を説明する。
図２０を参照する。この際、受信するを選択された商品がショッピングサイトのもので、かつ送信者は「ショッピングサイトの選択しなおしを許容」しているとする。
【０１２８】
配送情報入力処理ステップＳ１３４で配送先の住所が確定した場合に、サイト再選択処理ステップＳ１３５において、サイト再選択処理手段として機能するメインサイト用管理装置１００が備えたコンピュータ（プロセッサ）は、該当商品を扱っているショッピングサイトの中で、商品価格と、配送先住所までの送料とを合算した時の価格を比較し、また、配送にかかる時間などの情報を比較し、ショッピングサイトの再選択を行う。
【０１２９】
受信確定制御処理ステップＳ１３６において、上記の再選択したサイトで予約を確定できれば、それ以前に仮予約していたサイトの商品に関してはキャンセルを行う。また、再選択したサイトでの予約ができなければ、以前仮予約していたサイトでの予約を確定する。
【０１３０】
このため、メインサイト用管理装置１００は、前記受信者端末から送られてくる前記返信情報にあって、前記贈答品の配送先の住所が確定した場合には前記主管理装置が備えているサイト再選択手段が稼働し、前記配送先の住所の近隣にあって前記贈答品を扱っている複数のショッピングサイトをネット回線を利用して特定すると共にこの複数のショッピングサイトの内の少なくとも商品価格と送料と配送時間とを検討して最適な一のショッピングサイトを優先的に特定するショッピングサイト優先的特定機能と、前記サイト再選択手段により特定された一のショッピングサイトに対して前記受信確定処理機能が機能して仮予約を含む所定の対応処理を実行する対応処理実行機能とを備えてよい。
【０１３１】
以上で説明したように、本第２の実施の形態によると、付き合いが浅く、まだ趣味なども把握できていない中で、自分の趣向および相手の趣向にあった贈答品を贈答者本人が既に所有しているものを含めて贈ることができ、この際、サイバースペースなどのコミュニティにおいては電子メールアドレスすら不明でコミュニティにおけるＩＤなど受信者識別情報しかわからない場合であって、さらに相手の送付先住所などの個人情報が分からなくても前記贈答品を贈ることが可能となる。
【０１３２】
すなわち、インターネット上のコミュニティ内で、コミュニティにおけるＩＤがメインサイトにおけるユーザ情報管理で管理する情報と対応づく場合、相手のメールアドレスや個人情報が不明のままプレゼントを送ることが出来る。
これにより、セカンドライフのようなサイバースペースにおいて、隣人に対してプレゼントを送ることができる。  
【０１３３】
又、相手の住所が分からないところにプレゼントを送付する際、居住地による送料や輸送時間をショップを最初に限定するよりも効率的に行える。
更に、ショッピングサイトは、確率的ではあるが、販売機会が増える。商品の種類としては、消費者が通常は自分自身には買うのがはばかられ、また、プレゼントとして人にあげるのもためらわれるようなものをリスト選択する可能性があり、必需品ではない種類の売り上げが伸びる可能性がある。
【０１３４】
その他の構成およびその他のステップないしは機能並びにその作用効果については、前述した実施の形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１３５】
[その他の各種変形例]
また、本発明にかかる装置及び方法は、そのいくつかの特定の実施の形態に従って説明してきたが、本発明の主旨および範囲から逸脱することなく本発明の本文に記述した実施の形態に対して種々の変形が可能である。
【０１３６】
例えば、ショッピングサイトをオークションと置き換え、送信者が最初の指値部分を行う。受信者が、該当ロットの落札を欲し、かつ、送信者の指値以上にオークションが進んだ場合は、受信者が不足金額だけを認識して追加し、落札するという方式であってもよい。
【０１３７】
また、上記構成部材の数、位置、形状等は上記実施の形態に限定されず、本発明を実施する上で好適な数、位置、形状等にすることができる。
【０１３８】
以上説明した方法は、コンピュータがプログラムを記録媒体から読み込んで実行することによっても実現することが出来る。すなわち、上述のプログラムを、情報記録媒体に記録した構成であってもよい。
【０１３９】
更に、本発明の一実施の形態における贈答品発注処理システムは、贈答品を贈答するために送信者が利用する送信者端末と、前記送信者端末と通信ネットワークを介して通信接続され、前記送信者端末と情報の授受を行い、前記贈答品を受け取るために受信者が利用する受信者端末と、前記送信者端末及び前記受信者端末と前記通信ネットワークを介して通信接続され、前記送信者端末と前記受信者端末との間での情報の授受動作を管理する主管理装置と、前記主管理装置と連携して動作する配送システムとを備えてよい。
【０１４０】
送信者端末は、前記送信者が既に所有している既所有贈答品を含む贈答品リスト情報と、前記受信者の電子メールアドレス情報又はサイバースペースにおける前記受信者を識別する受信者識別情報と、を入力可能とし表示機能を備えた送信者用入出力手段と、前記送信者用入出力手段にて操作入力された前記贈答品リスト情報、前記電子メールアドレス情報又は前記受信者識別情報を前記通信ネットワークを介して前記主管理装置に送信するように制御する通信機能及び記憶機能を備えた送信者用制御手段（例えば図４に示す符号１０ｄ、１０ｅ、１０ｆ、１０ｃからなる構成）とを備えてよい。
【０１４１】
受信者端末は、前記送信者端末から前記主管理装置を介して提供される前記贈答品リスト情報の中から受け取りを希望する１以上の贈答品を選択可能とし、当該受信者自身の配送先情報を入力可能とし表示機能を備えた受信者用入出力手段（例えば図４に示す符号２０ａと２０ｂとからなる構成）と、前記受取人用入出力手段にて操作入力され既に選択された既選択贈答品リスト情報及び前記配送先情報を前記通信ネットワークを介して前記主管理装置に送信するように制御する通信機能及び記憶機能を備えた受信者用制御手段（例えば図４に示す符号１０ｄ、１０ｅ、１０ｆ、１０ｃからなる構成）とを備えてよい。
【０１４２】
主管理装置は、贈答品を贈答するために送信者が利用する送信者端末、及び前記贈答品を受け取るために受信者が利用する受信者端末と通信ネットワークを介して通信接続され、前記送信者端末と前記受信者端末との間での情報の授受動作を管理し配送システムと連携して動作するものである。
【０１４３】
又、本発明の一実施形態における贈答品発注処理システムは、ネットワークを介して贈答品情報を発信する送信者端末と、この贈答品情報を受信すると共に受信者端末を特定して当該受信者端末に前記贈答品情報を送信する主管理装置とを備え、この主管理装置が、前記受信者端末からの返信情報により特定される贈答品を配送機構を介して前記受信者端末側の受信者に向けて発送処理する贈答品発送依頼処理機能を備えてよい。
【０１４４】
この贈答品発注処理システムにおける前記主管理装置は、前記送信者端末から送られてくる前記送信者発信情報をユーザ管理情報記憶手段に記憶処理するユーザ管理情報記憶処理機能と、この受信した前記送信者発信情報から前記受信者端末のメールアドレスを特定すると共に当該受信者端末に前記贈答品情報および贈答品受取り伺い情報を送信し且つ前記送信者発信情報から特定される贈答品をショッピングサイトに対して仮予約する送信情報受付処理機能とを備えてよい。
【０１４５】
又、主管理装置は、記受信者端末から送られてくる前記贈答品受取り伺い情報に対する返信情報に基づいて前記ショッピングサイトへの注文の確定処理若しくは注文の中止手続き処理を行う実行する受信確定処理機能を備えてよい。
【０１４６】
更に、主管理装置は、前記送信者端末から送られてくる前記受信端末識別情報がメールアドレスである場合にはこれを贈答品の送信先情報として前記ユーザ管理情報記憶手段に対して記憶処理すると共に、前記送信者端末から送られてくる前記受信端末識別情報がＩＤ情報である場合には当該ＩＤ情報にかかるメールアドレスを前記ユーザ管理情報記憶手段を検索し特定する送信先特定機能を備えてよい。
【０１４７】
又、主管理装置は、前記受信者端末から送られてくる前記返信情報にあって、前記受信者が前記送信者端末側の送信者が保持してる贈答品を指定している場合には、前記送信者端末に対して贈答品準備通知を発信処理すると共に、前記主管理装置における前記各処理手段の実行を停止制御し且つ前記配送機構に対しては前記送信者端末が保持している贈答品の配送を指令する贈答品配送指令機能を備えてよい。
【０１４８】
又、本発明の一実施形態における主管理装置は、贈答品を贈答するために送信者が利用する送信者端末、及び前記贈答品を受け取るために受信者が利用する受信者端末と通信ネットワークを介して通信接続され、前記送信者端末と前記受信者端末との間での情報の授受動作を管理し配送システムと連携して動作する管理装置が備えたコンピュータに諸機能を実現させることが可能なものである。
主管理装置は、サイバースペースにおける前記受信者を識別する既登録受信者識別情報に応じた既登録電子メールアドレス情報を記憶管理するユーザ情報管理機能と、前記贈答品に前記送信者が既に所有している既所有贈答品を含む場合には前記送信者端末に対しては贈答品リストに関する情報の操作入力又は既登録贈答品リスト情報の提示による前記送信者による前記贈答品の選択指示入力を促し、前記受信者の電子メールアドレス情報又は前記サイバースペースにおける前記受信者を識別する受信者識別情報の入力を促すとともに、前記送信者端末にて入力された前記電子メールアドレス情報又は前記受信者識別情報と前記贈答品リストに関する情報又は前記選択指示とを受信し、送信用贈答品リスト情報を生成し、前記電子メールアドレス情報を受信した場合には当該電子メールアドレスを送信先とし前記送信用贈答品リスト情報を前記受信者に提供するための贈答品リスト提供用通知メールを生成する送信情報受付処理制御機能と、この贈答品リスト提供用通知メールを前記受信者端末に対して送信する受信伺い処理制御機能と、前記受信者端末に対しては前記送信用贈答品リスト情報の提示による受信者による受け取りを希望する１以上の贈答品の選択入力と前記受信者の個人情報の操作入力とを促すとともに、前記受信者端末にて操作入力された選択済みの既選択贈答品リスト情報と前記受信者の個人情報とを受信し、前記既選択贈答品リスト情報の既選択贈答品に前記既所有贈答品を含む場合には、前記既所有贈答品を送付する準備するように贈答品準備通知を前記送信者端末に対して送信する受信確定処理制御機能と、前記送信者からの前記既所有贈答品を受付後に受信者宛に前記既所有贈答品を含む前記既選択贈答品リスト情報の既選択贈答品を配送するように、配送指示を前記配送システムに通知する送信者商品発送処理制御機能と、を備えてよい。
【０１４９】
又、前記送信情報受付処理制御機能では、前記受信者識別情報を受信した場合には前記ユーザ情報管理機能を利用して対応する既登録電子メールアドレス情報を取得し、当該電子メールアドレスを送信先とし前記送信用贈答品リスト情報を前記受信者に提供するための贈答品リスト提供用通知メールを生成する機能を備えてよい。
【０１５０】
更に、前記送信情報受付処理制御機能では、前記送信者端末に対しては前記ショッピングサイトで贈答品を選択するのか前記既所有贈答品にするのかの第１の選択を促し、前記ショッピングサイトで贈答品を選択すると判定した場合には前記送信者端末から前記ショッピングサイトにアクセスさせ前記１以上のショッピングサイトに提示された贈答品の中からいずれの贈答品とするのかの第２の選択を促すとともに、選択された贈答品に基づいて前記送信用贈答品リスト情報を生成し、この前記送信用贈答品リスト情報の贈答品について前記ショッピングサイト用管理装置に仮予約の登録指示を送信する判断制御機能を備えてよい。
【０１５１】
又、前記受信確定処理制御機能では、前記受信者端末から配送先情報及び前記既選択贈答品リスト情報を受信した際に、前記既選択贈答品がある場合には仮予約を確定する指示を該ショッピングサイト用管理装置に送信し、非選択贈答品がある場合には仮予約を取り消す指示を該ショッピングサイト用管理装置に送信し、前記非選択贈答品が前記既所有贈答品の場合にはキャンセル通知を前記送信者端末に送信する判断制御機能を備えてよい。
【０１５２】
又、前記受信確定処理制御機能では、前記受信者端末から配送先情報及び前記既選択贈答品リスト情報を受信した際に、送料を含む既選択贈答品の合計価格、配送時間のうち一又は複数が最少になるショッピングサイトを再選択する判断制御機能を備えてよい。
【０１５３】
更に、前記受信確定処理制御機能では、前記再選択したショッピングサイトで仮予約を確定した場合には、それ以前に仮予約していたショッピングサイトの贈答品に関しては仮予約を取り消す指示を該ショッピングサイト用管理装置に送信し、前記再選択したショッピングサイトでの予約ができない場合には、それ以前に仮予約していたショッピングサイトでの仮予約を確定する指示を該ショッピングサイト用管理装置に送信する判断制御機能を備えてよい。
【０１５４】
又、本発明の一実施形態における管理装置は、贈答者用情報機器にて操作入力された贈答品リスト情報及び受取人の電子メールアドレス情報を受信し、前記贈答品リスト情報を管理用商品リスト情報記憶領域に書き込むとともに前記電子メールアドレス情報をユーザ管理情報記憶領域に書き込む第１制御手段と、前記管理用商品リスト情報記憶領域の前記贈答品リスト情報と前記ユーザ管理情報記憶領域の前記電子メールアドレス情報をそれぞれ読み出し、前記電子メールアドレスを送信先とし前記贈答品リスト情報を添付した贈答品リスト提供用電子メールを生成し、この贈答品リスト提供用電子メールを前記受取人用情報機器に対して送信する第２制御手段と、前記受取人用情報機器にて操作入力された選択済みの既選択贈答品リスト情報と前記受取人の個人情報とが搭載された返信用電子メールを受信し、前記既選択贈答品リスト情報を前記管理用商品リスト情報記憶領域に書き込むとともに前記受取人の個人情報を前記ユーザ管理情報記憶領域に書き込む第３制御手段と、前記管理用商品リスト情報記憶領域の前記既選択贈答品リスト情報と前記ユーザ管理情報記憶領域の前記受取人の個人情報をそれぞれ読み出し、既選択贈答品を受取人宛に配送するように前記配送システムに通知する第４制御手段と、前記受取人宛の前記既選択贈答品が配送完了したことを示す配送完了通知を前記贈答者用情報機器から前記配送システムを介して受信し、配送完了であることを示すフラグを前記管理用商品リスト情報記憶領域の対応する情報に関連付けて書き込む第５制御手段と、を備えてよい。
【０１５５】
又、前記管理装置は、前記贈答者用情報機器にて操作入力された贈答品リスト情報及びコミュニティにおける受取人識別情報を受信し、前記贈答品リスト情報を管理用商品リスト情報記憶領域に書き込むとともに前記受取人識別情報をユーザ管理情報記憶領域に書き込む第６制御手段と、前記ユーザ管理情報記憶領域内の各部を検索し、前記受取人識別情報に対応する電子メールアドレス情報を取得し、前記電子メールアドレスを送信先とし前記贈答品リスト情報を添付した贈答品リスト提供用電子メールを生成し、この贈答品リスト提供用電子メールを前記受取人用情報機器に対して送信する第７制御手段とを備えてよい。
【０１５６】
又、前記主管理装置は、前記贈答者用情報機器から前記ショッピングサイトにアクセスし前記ショッピングサイトに提示された商品の中から選択された贈答品に基づいて前記贈答品リスト情報を生成し、この前記贈答品リスト情報の贈答品について前記ショッピングサイトに仮予約の登録を行う第８制御手段と、前記受取人用情報機器から配送先情報及び前記既選択贈答品リスト情報を受信した際に、前記既選択贈答品についての仮予約を確定するとともに非選択贈答品についての予約を取り消す第９制御手段と、前記受取人用情報機器から配送先情報及び前記既選択贈答品リスト情報を受信した際に、既選択贈答品の合計価格、配送時間のうち一又は複数が最少になる贈答品ショッピングサイトを選択する第１０制御手段とを備えてよい。
【０１５７】
また、上記実施の形態におけるシステムにおいて、主管理装置と各端末と各管理装置との間の通信構造は、クライアントサーバーシステムに限らず、サーバを介さずに端末同士がネットワークを組み、相互にデータを送受信するピアツーピア（Ｐｅｅｒ  Ｔｏ  Ｐｅｅｒ）通信によるシステムであってもよい。その際、管理装置は、ピア・ツゥ・ピア方式におけるマスタ端末であってもよい。
また、上述の実施の形態の「システム」を、他の「配送システム」と統合したシステムとして、これら全体を本発明の「システム」として構成することも一向に構わない。
【０１５８】
また、前記実施の形態における「システム」とは、複数の装置が論理的に集合した物をいい、各構成の装置が同一筐体中にあるか否かは問わない。このため、本発明は、複数の機器から構成されるシステムに適用しても良いし、また、一つの機器からなる装置に適用しても良い。
【０１５９】
さらに、管理装置としては、サーバ、パーソナルコンピュータに限らず、ＥＷＳ（エンジニアリングワークステーション）、中型コンピュータ、メインフレームなどが挙げられる。
端末は、以上の例に加えて、携帯型情報端末、各種モバイル端末、ＰＤＡ、携帯電話機、ウエアラブル情報端末、種々の（携帯型などの）テレビ・ＤＶＤレコーダ・各種音響機器、各種情報通信機能を搭載した家電機器、ネットワーク機能を有するゲーム機器等からも利用できる構成としても構わない。
【０１６０】
さらに、本明細書において、フローチャートに示されるステップは、記載された手順に従って時系列的に行われる処理はもちろん、必ずしも時系列的に処理されなくとも、並列的あるいは個別に実行される処理を含むものである。また、実装では、プログラム手順（ステップ）が実行される順序を変更することができる。さらに、実装の必要に応じて、本明細書で説明した特定の手順（ステップ）を、組み合わされた手順（ステップ）として実装、除去、追加、または再配置することができる。
【０１６１】
さらに、「通信」では、無線通信および有線通信は勿論、無線通信と有線通信とが混在した通信、即ち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【０１６２】
図に示すブロック図における一部の各ブロック、並びに、図に示すフローチャート、シーケンスにおける一部の各処理は、コンピュータにより実行可能なプログラムにより機能化された状態を示すソフトウエアモジュール構成である。
【０１６３】
すなわち、物理的構成は例えば一又は複数のＣＰＵ（或いは一又は複数のＣＰＵと一又は複数のメモリ）等ではあるが、各部（手段）によるソフトウエア構成は、プログラムの制御によってＣＰＵが発揮する複数の機能を、それぞれ複数の部（手段）による構成要素として表現したものである。
【０１６４】
ＣＰＵがプログラムによって実行されている動的状態（プログラムを構成する各手順を実行している状態）を機能表現した場合、ＣＰＵ内に各部（手段）が構成されることになる。プログラムが実行されていない静的状態にあっては、各手段の構成を実現するプログラム全体（或いは各手段の構成に含まれるプログラム各部）は、メモリなどの記憶領域に記憶されている。
【０１６５】
以上に示した各部（手段）は、プログラムにより機能化されたコンピュータをプログラムの機能と共に実現し得るように構成しても、また、固有のハードウエアにより恒久的に機能化された複数の電子回路ブロックからなる装置で構成してもよい。したがって、これらの機能ブロックがハードウェアのみ、ソフトウェアのみ、またはそれらの組合せによっていろいろな形で実現でき、いずれかに限定されるものではない。
【０１６６】
又、明細書中の記載において広義な用語（贈答品、主管理装置等）として引用された用語（商品、メインサイト用管理装置等）は、明細書中の他の記載においても広義な用語に置き換えることができる。更に、明細書中の記載において、各ステップが各々処理する各動作内容は、各ステップの動作説明に記載されていないが、前記記憶媒体における各々の特定の記憶領域に各々書き込む処理を各々実行することを含むものである。
【０１６７】
さらに、このような各装置は、単独で存在する場合もあるし、ある機器（例えば電子機器など）に組み込まれた状態で利用されることもあるなど、発明の思想としてはこれに限らず、各種の態様を含むものである。
【０１６８】
また、発明の範囲は、図示例に限定されないものとする。さらに、上記各実施の形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含む。
【産業上の利用可能性】
【０１６９】
本発明は、冠婚葬祭の引き出物送付サービス、クリスマス、バレンタイン、誕生日の贈答サービス、マニアックなアイデア商品の販売サービスを行うための各種コンピュータシステム全般において利用できる。
【符号の説明】
【０１７０】
１Ａ、１Ｂ、１Ｃ  贈答品発注処理システム
１０  送信者端末
２０  受信者端末
１００Ａ  主管理装置
１００  メインサイト用管理装置（主管理装置の一例）
１１０  送信情報受付処理手段（送信受付処理手段の一部）
１２０  受信伺い処理手段（送信受付処理手段の一部）
１３０  受信確定処理手段
１３２  サイト再選択手段
１４０  送信者商品発送処理手段（贈答品配送指令手段の一部）
１８１  送信商品候補リスト情報記憶手段
１８２  ユーザ管理情報記憶手段
２００  第１のショッピングサイト用管理装置
３００  第２のショッピングサイト用管理装置
４００  配送システム（配送機構）
ＮＷ  通信ネットワーク（通信網）
【図１】
2010160766.tif 000003
【図２】
2010160766.tif 000004
【図３】
2010160766.tif 000005
【図４】
2010160766.tif 000006
【図５】
2010160766.tif 000007
【図６】
2010160766.tif 000008
【図７】
2010160766.tif 000009
【図８】
2010160766.tif 000010
【図９】
2010160766.tif 000011
【図１０】
2010160766.tif 000012
【図１１】
2010160766.tif 000013
【図１２】
2010160766.tif 000014
【図１３】
2010160766.tif 000015
【図１４】
2010160766.tif 000016
【図１５】
2010160766.tif 000017
【図１６】
2010160766.tif 000018
【図１７】
2010160766.tif 000019
【図１８】
2010160766.tif 000020
【図１９】
2010160766.tif 000021
【図２０】
2010160766.tif 000022
【図２１】
2010160766.tif 000023